(57)【要約】【課題】透過率及び側面視認性を向上させて、表示品質を高めることができる表示装置及びその駆動方法を提供する。【解決手段】第１ガンマ曲線及び第２ガンマ曲線を含む二つ以上のガンマ曲線に対するガンマデータを貯蔵するメモリ、ガンマデータに基づいて階調電圧を生成する階調電圧生成部、外部から入力映像信号を受信する信号制御部、信号制御部から前記入力映像信号を受信し、階調電圧を利用して入力映像信号をデータ電圧に変換するデータ駆動部、及びデータ電圧の印加を受けてフレーム単位で映像を表示する画素を含む表示板を含み、画素は、二つ以上の連続したフレームを含む一つのフレームセット内に一つの入力映像信号に対応する映像を表示し、画素がフレームセット内に表示する映像は、第１ガンマ曲線による第１映像及び第２ガンマ曲線による第２映像を含み、第１映像の輝度は第２映像の輝度以上であり、第２映像は連続した二つのフレームで表示される。【選択図】図４
2013250545.tif 000002
【特許請求の範囲】
【請求項１】
第１ガンマ曲線及び第２ガンマ曲線を含む二つ以上のガンマ曲線に対するガンマデータを貯蔵するメモリ、
前記ガンマデータに基づいて階調電圧を生成する階調電圧生成部、
外部から入力映像信号を受信する信号制御部、
前記信号制御部から前記入力映像信号を受信し、前記階調電圧を利用して前記入力映像信号をデータ電圧に変換するデータ駆動部、及び
前記データ電圧の印加を受けてフレーム単位で映像を表示する画素を含む表示板を含み、
前記画素は、二つ以上の連続したフレームを含む一つのフレームセット内に一つの入力映像信号に対応する映像を表示し、
前記画素が前記フレームセット内に表示する映像は、前記第１ガンマ曲線による第１映像及び前記第２ガンマ曲線による第２映像を含み、
前記第１映像の輝度は前記第２映像の輝度以上であり、
前記第２映像は連続した二つのフレームで表示される、表示装置。
【請求項２】
第１フレームセットで前記画素が表示する映像の順序と、前記第１フレームセットに連続する第２フレームセットで前記画素が表示する映像の順序とは互いに反対である、請求項１に記載の表示装置。
【請求項３】
前記一つのフレームセットは、三つ以上の連続したフレームを含み、
前記第１フレームセットの間、前記第１映像は一つのフレーム内に表示され、前記第２映像は連続する二つ以上のフレーム内に表示される、請求項２に記載の表示装置。
【請求項４】
前記メモリは、前記第１及び第２ガンマ曲線と異なる第３ガンマ曲線に対するガンマデータをさらに貯蔵し、
前記画素は、前記一つのフレームセット内の前記第３ガンマ曲線による第３映像をさらに表示し、
前記第３映像の輝度は、前記第１映像の輝度以下であり、前記第２映像の輝度以上である、請求項３に記載の表示装置。
【請求項５】
前記表示板は、互いに隣接して互いに異なる入力映像信号に対応する映像を表示する第１画素及び第２画素を含み、
前記第１画素及び前記第２画素それぞれは、二つ以上の連続したフレームを含む一つのフレームセット内に一つの入力映像信号に対応する映像を表示し、
前記第１画素及び前記第２画素それぞれが前記フレームセット内に表示する映像は、前記第１映像及び前記第２映像を含み、
一つのフレームにおいて、前記第１画素が表示する映像が従うガンマ曲線と、前記第２画素が表示する映像が従うガンマ曲線とは互いに異なる、請求項４に記載の表示装置。
【請求項６】
前記メモリは、前記第１及び第２ガンマ曲線と異なる第３ガンマ曲線に対するガンマデータをさらに貯蔵し、
前記画素は、前記一つのフレームセット内に前記第３ガンマ曲線による第３映像をさらに表示し、
前記第３映像の輝度は、前記第１映像の輝度以下であり、前記第２映像の輝度以上である、請求項１に記載の表示装置。
【請求項７】
前記一つのフレームセットは、三つ以上の連続したフレームを含む、請求項６に記載の表示装置。
【請求項８】
前記一つのフレームセットにおいて、前記画素が前記第３映像を表示するフレームは、前記第１映像を表示するフレーム及び前記第２映像を表示するフレームの間に位置する、請求項７に記載の表示装置。
【請求項９】
第１フレームセットで前記画素が表示する映像の順序と、前記第１フレームセットに連続する第２フレームセットで前記画素が表示する映像の順序とは互いに反対である、請求項８に記載の表示装置。
【請求項１０】
前記第３映像は連続した二つのフレームで表示される、請求項６に記載の表示装置。
【請求項１１】
前記表示板は、互いに隣接して互いに異なる入力映像信号に対応する映像を表示する第１画素及び第２画素を含み、
前記第１画素及び前記第２画素それぞれは、二つ以上の連続したフレームを含む一つのフレームセット内に一つの入力映像信号に対応する映像を表示し、
前記第１画素及び前記第２画素それぞれが前記フレームセット内に表示する映像は、前記第１映像及び前記第２映像を含み、
一つのフレームにおいて、前記第１画素が表示する映像が従うガンマ曲線と、前記第２画素が表示する映像が従うガンマ曲線とは互いに異なる、請求項１０に記載の表示装置。
【請求項１２】
前記メモリは、前記第１、第２及び第３ガンマ曲線と異なる第４ガンマ曲線に対するガンマデータをさらに貯蔵し、
前記画素は、前記一つのフレームセット内に前記第４ガンマ曲線による第４映像をさらに表示し、
前記第４映像の輝度は、前記第３映像の輝度以下であり、前記第２映像の輝度以上である、請求項６に記載の表示装置。
【請求項１３】
前記一つのフレームセットにおいて、前記第４映像を表示するフレームは、前記第３映像を表示するフレーム及び前記第２映像を表示するフレームの間に位置する、請求項１２に記載の表示装置。
【請求項１４】
前記画素は、同一の入力映像信号に対する映像を表示する第１副画素及び第２副画素を含み、
前記第１副画素及び前記第２副画素は、それぞれ前記一つのフレームセット内に前記入力映像信号に対応する映像を表示し、
第１副画素及び第２副画素のうちの一つが表示する前記第２映像は、連続した二つのフレームで表示される、請求項１に記載の表示装置。
【請求項１５】
第１フレームセットで前記第１及び第２副画素が表示する映像の順序と、前記第１フレームセットに連続する第２フレームセットで前記第１及び第２副画素が表示する映像の順序とは互いに反対である、請求項１４に記載の表示装置。
【請求項１６】
前記一つのフレームセットは三つ以上の連続したフレームを含む、請求項１５に記載の表示装置。
【請求項１７】
前記メモリは、前記第１及び第２ガンマ曲線と異なる第３ガンマ曲線に対するガンマデータをさらに貯蔵し、
前記第１副画素及び前記第２副画素のうちの少なくとも一つは、前記一つのフレームセット内に前記第３ガンマ曲線による第３映像をさらに表示し、
前記第３映像の輝度は、前記第１映像の輝度以下であり、前記第２映像の輝度以上である、請求項１６に記載の表示装置。
【請求項１８】
前記表示板は、互いに隣接して互いに異なる入力映像信号に対応する映像を表示する第１画素及び第２画素を含み、
前記第１画素及び前記第２画素それぞれは、前記一つの入力映像信号に対する映像を表示する第１副画素及び第２副画素を含み、
前記第１画素及び前記第２画素それぞれは、二つ以上の連続したフレームを含む一つのフレームセット内に前記一つの入力映像信号に対応する映像を表示し、
一つのフレームにおいて、前記第１画素の前記第１副画素及び前記第２副画素のうちの少なくとも一つが表示する映像が従うガンマ曲線と、前記第２画素の前記第１副画素及び前記第２副画素のうちの少なくとも一つが表示する映像が従うガンマ曲線とは互いに異なる、請求項１７に記載の表示装置。
【請求項１９】
前記表示板は、互いに隣接して互いに異なる入力映像信号に対応する映像を表示する第１画素及び第２画素を含み、
前記第１画素及び前記第２画素それぞれは、二つ以上の連続したフレームを含む一つのフレームセット内に一つの入力映像信号に対応する映像を表示し、
前記第１画素及び前記第２画素それぞれが前記フレームセット内に表示する映像は、前記第１映像及び前記第２映像を含み、
一つのフレームにおいて、前記第１画素が前記第１映像を表示する時、前記第２画素は前記第２映像を表示する、請求項１に記載の表示装置。
【請求項２０】
前記表示板に光を提供するバックライト部をさらに含み、
前記一つのフレームセットは、第１フレーム及び前記第１フレームの次の第２フレームを含み、
前記画素は、前記第１フレームで前記第１映像を表示し、第２フレームで前記第２映像を表示し、
前記バックライト部は、前記第１フレームで第１輝度の光を前記表示板に提供し、前記第２フレームでは前記第１輝度より低い第２輝度の光を前記表示板に提供する、請求項１に記載の表示装置。
【請求項２１】
前記第２フレームで表示される前記第２映像の輝度は実質的に０であり、
前記バックライト部は、前記第２フレーム間オフされて光を前記画素に提供しない、請求項２０に記載の表示装置。
【請求項２２】
前記バックライト部は、前記第２フレームで第１時間オンされて光を前記画素に提供し、
前記第１時間のデューティ比は１より小さい、請求項２０に記載の表示装置。
【請求項２３】
前記表示板に光を提供するバックライト部をさらに含み、
前記一つのフレームセットは、第１フレーム及び前記第１フレームの次の第２フレームを含み、
前記画素は、前記第１フレームで前記第２映像を表示し、第２フレームで前記第１映像を表示し、
前記第２フレームで前記バックライト部が前記画素に提供する光の輝度は、前記第１フレームで前記バックライト部が前記画素に提供する光の輝度より高い、請求項１に記載の表示装置。
【請求項２４】
前記第１フレームで表示される前記第２映像の輝度が実質的に０であるか、または前記第２フレームで表示される前記第１映像の輝度が最高輝度である、請求項２３に記載の表示装置。
【請求項２５】
前記表示板は、複数の液晶分子を含む液晶層をさらに含み、
隣接する二つのフレームにおいて、前記画素が第１輝度の映像を表示した後、前記第１輝度より低い第２輝度の映像を表示する時に、前記画素が表示する映像の輝度が前記第１及び第２輝度差のほぼ９９％からほぼ１％まで変化する時の前記液晶分子の応答速度は、フレーム周波数がほぼ２４０Ｈｚの時にほぼ４．１７ｍｓ以下である、請求項１に記載の表示装置。
【請求項２６】
前記表示板は、複数の液晶分子を含む液晶層をさらに含み、
隣接する二つのフレームにおいて、前記画素が第１輝度の映像を表示した後、前記第１輝度より低い第２輝度の映像を表示する時に、前記画素が表示する映像の輝度が前記第１及び第２輝度映像の輝度差の９９％から１％まで変化する時の前記液晶分子の下降応答速度は、フレーム周波数が１２０Ｈｚの時に８．３ｍｓ以下である、請求項１に記載の表示装置。
【請求項２７】
二つ以上のガンマ曲線に対するガンマデータを貯蔵するメモリ、
前記ガンマデータに基づいて階調電圧を生成する階調電圧生成部、
外部から入力映像信号を受信する信号制御部、
前記信号制御部から前記入力映像信号を受信し、前記階調電圧を利用して前記入力映像信号をデータ電圧に変換するデータ駆動部、及び
前記データ電圧の印加を受けてフレーム単位でそれぞれ映像を表示する第１画素及び第２画素を含む表示板を含み、
前記第１画素及び前記第２画素は互いに隣接して、互いに異なる入力映像信号に対応する映像を表示し、
前記第１画素及び前記第２画素それぞれは、二つ以上の連続したフレームを含む一つのフレームセット内に一つの入力映像信号に対応する映像を表示し、  
前記第１画素及び前記第２画素それぞれが、前記フレームセット内に表示する映像は、前記二つ以上のガンマ曲線による映像を含み、
一つのフレームにおいて、前記第１画素が表示する映像が従うガンマ曲線と、前記第２画素が表示する映像が従うガンマ曲線とは互いに異なる、表示装置。
【請求項２８】
前記第１画素及び前記第２画素それぞれは、前記一つの入力映像信号に対する映像を表示する第１副画素及び第２副画素を含み、
一つのフレームにおいて、前記第１画素の前記第１副画素及び前記第２副画素のうちの少なくとも一つが表示する映像が従うガンマ曲線と、前記第２画素の前記第１副画素及び前記第２副画素のうちの少なくとも一つが表示する映像が従うガンマ曲線とは互いに異なる、請求項２７に記載の表示装置。
【請求項２９】
第１ガンマ曲線及び第２ガンマ曲線を含む二つ以上のガンマ曲線に対するガンマデータを貯蔵するメモリ、
前記ガンマデータに基づいて階調電圧を生成する階調電圧生成部、
外部から入力映像信号を受信する信号制御部、
前記信号制御部から前記入力映像信号を受信し、前記階調電圧を利用して前記入力映像信号をデータ電圧に変換するデータ駆動部、
前記データ電圧の印加を受けてフレーム単位で映像を表示する画素を含む表示板、及び
前記表示板に光を提供するバックライト部を含み、
前記画素は、二つ以上の連続したフレームを含む一つのフレームセット内に一つの入力映像信号に対応する映像を表示し、
前記一つのフレームセットは、第１フレーム及び前記第１フレームの次の第２フレームを含み、
前記画素は、前記第１フレームで前記第１ガンマ曲線による第１映像を表示し、前記第２フレームで前記第２ガンマ曲線による第２映像を表示し、
前記第１映像の輝度は前記第２映像の輝度以上であり、
前記バックライト部は、前記第１フレームで第１輝度の光を前記表示板に提供し、前記第２フレームでは前記第１輝度より低い第２輝度の光を前記表示板に提供する、表示装置。
【請求項３０】
第１ガンマ曲線及び第２ガンマ曲線を含む二つ以上のガンマ曲線に対するガンマデータを貯蔵するメモリ、
前記ガンマデータに基づいて階調電圧を生成する階調電圧生成部、
外部から入力映像信号を受信する信号制御部、
前記信号制御部から前記入力映像信号を受信し、前記階調電圧を利用して前記入力映像信号をデータ電圧に変換するデータ駆動部、
前記データ電圧の印加を受けてフレーム単位で映像を表示する画素を含む表示板、及び
前記表示板に光を提供するバックライト部を含み、
前記画素は、二つ以上の連続したフレームを含む一つのフレームセット内に一つの入力映像信号に対応する映像を表示し、
前記一つのフレームセットは、第１フレーム及び前記第１フレームの次の第２フレームを含み、
前記画素は、前記第１フレームで前記第２ガンマ曲線による第２映像を表示し、前記第２フレームで前記第１ガンマ曲線による第１映像を表示し、
前記第１映像の輝度は前記第２映像の輝度以上であり、
前記第２フレームで前記バックライト部が前記画素に提供する光の輝度は、前記第１フレームで前記バックライト部が前記画素に提供する光の輝度より高い、表示装置。
【請求項３１】
前記第１フレームで表示される前記第２映像の輝度が実質的に０であるか、または前記第２フレームで表示される前記第１映像の輝度が最高輝度である、請求項３０に記載の表示装置。
【請求項３２】
二つ以上のガンマ曲線に対するガンマデータを貯蔵するメモリ、前記ガンマデータに基づいて階調電圧を生成する階調電圧生成部、外部から入力映像信号を受信する信号制御部、前記信号制御部から前記入力映像信号を受信し、前記階調電圧を利用して前記入力映像信号をデータ電圧に変換するデータ駆動部、及び前記データ電圧の印加を受けてフレーム単位で映像を表示する画素を含む表示板を含む表示装置において、
前記画素が、二つ以上の連続したフレームを含む一つのフレームセットの第１フレーム内に、前記第１ガンマ曲線による第１映像を表示する段階、及び
前記画素が、前記一つのフレームセットの第２フレーム内に、前記第２ガンマ曲線による第２映像を表示する段階を含み、
前記第１映像の輝度は前記第２映像の輝度以上であり、
前記第２映像は連続した二つのフレームで表示される、表示装置の駆動方法。
【請求項３３】
前記表示板は、互いに隣接して互いに異なる入力映像信号に対応する映像を表示する第１画素及び第２画素を含み、
前記第１画素及び前記第２画素それぞれは、二つ以上の連続したフレームを含む一つのフレームセット内に一つの入力映像信号に対応する映像を表示し、
前記第１画素及び前記第２画素それぞれが前記フレームセット内に表示する映像は、前記第１映像及び前記第２映像を含み、
一つのフレームにおいて、前記第１画素が表示する映像が従うガンマ曲線と、前記第２画素が表示する映像が従うガンマ曲線とは互いに異なる、請求項３２に記載の表示装置の駆動方法。
【請求項３４】
前記画素は、同一の入力映像信号に対する映像を表示する第１副画素及び第２副画素を含み、
前記第１副画素及び前記第２副画素は、それぞれ前記一つのフレームセット内に前記入力映像信号に対応する映像を表示し、
第１副画素及び第２副画素のうちの一つが表示する前記第２映像は、連続した二つのフレームで表示される、請求項３２に記載の表示装置の駆動方法。
【請求項３５】
第１ガンマ曲線及び第２ガンマ曲線を含む二つ以上のガンマ曲線に対するガンマデータを貯蔵するメモリ、前記ガンマデータに基づいて階調電圧を生成する階調電圧生成部、外部から入力映像信号を受信する信号制御部、前記信号制御部から前記入力映像信号を受信し、前記階調電圧を利用して前記入力映像信号をデータ電圧に変換するデータ駆動部、前記データ電圧の印加を受けてフレーム単位で映像を表示する画素を含む表示板、及び前記表示板に光を提供するバックライト部を含む表示装置において、
前記画素が、二つ以上の連続したフレームを含む一つのフレームセットの第１フレーム内に、前記第１ガンマ曲線による第１映像を表示する段階、及び
前記画素が、前記一つのフレームセットの第２フレーム内に、前記第２ガンマ曲線による第２映像を表示する段階を含み、
前記第１映像の輝度は前記第２映像の輝度以上であり、
前記バックライト部は、前記第１フレームで第１輝度の光を前記表示板に提供し、前記第２フレームでは前記第１輝度より低い第２輝度の光を前記表示板に提供する、表示装置の駆動方法。
【請求項３６】
前記第２フレームで表示される前記第２映像の輝度は実質的に０であり、
前記バックライト部は、前記第２フレーム間オフされて光を前記画素に提供しない、請求項３５に記載の表示装置の駆動方法。
【請求項３７】
前記バックライト部は、前記第２フレームで第１時間オンされて光を前記画素に提供し、
前記第１時間のデューティ比は１より小さい、請求項３５に記載の表示装置の駆動方法。
【請求項３８】
第１ガンマ曲線及び第２ガンマ曲線を含む二つ以上のガンマ曲線に対するガンマデータを貯蔵するメモリ、前記ガンマデータに基づいて階調電圧を生成する階調電圧生成部、外部から入力映像信号を受信する信号制御部、前記信号制御部から前記入力映像信号を受信し、前記階調電圧を利用して前記入力映像信号をデータ電圧に変換するデータ駆動部、前記データ電圧の印加を受けてフレーム単位で映像を表示する画素を含む表示板、及び前記表示板に光を提供するバックライト部を含む表示装置において、
前記画素が、二つ以上の連続したフレームを含む一つのフレームセットの第１フレーム内に、前記第２ガンマ曲線による第２映像を表示する段階、及び
前記画素が前記一つのフレームセットの第２フレーム内に、前記第１ガンマ曲線による第１映像を表示する段階を含み、
前記第１映像の輝度は前記第２映像の輝度以上であり、
前記第２フレームで前記バックライト部が前記画素に提供する光の輝度は、前記第１フレームで前記バックライト部が前記画素に提供する光の輝度より高い、表示装置の駆動方法。
【請求項３９】
前記第１フレームで表示される前記第２映像の輝度が０であるか、または前記第２フレームで表示される前記第１映像の輝度が最高輝度である、請求項３８に記載の表示装置の駆動方法。
【請求項４０】
フレーム単位で映像を表示し、互いに隣接する第１画素及び第２画素を含む複数の画素を含む表示装置において、
二つ以上のガンマ曲線に対するガンマデータをメモリに貯蔵する段階、
前記ガンマデータに基づいて階調電圧を生成する段階、
外部から入力映像信号を受信し、前記階調電圧を利用して前記入力映像信号をデータ電圧に変換する段階、及び
前記第１画素及び前記第２画素それぞれは、前記データ電圧の印加を受けて二つ以上の連続したフレームを含む第１フレームセット内に、一つの入力映像信号に対応する映像を表示する段階を含み、
前記第１画素及び前記第２画素それぞれが前記第１フレームセット内に表示する映像は、互いに異なるガンマ曲線による映像を含み、
一つのフレーム内に、前記第１画素が表示する映像が従うガンマ曲線と、前記第２画素が表示する映像が従うガンマ曲線とは互いに異なり、
前記複数の画素の中で、互いに隣接して同一の色を示す二つの画素が表示する映像は、互いに異なるガンマ曲線による、表示装置の駆動方法。
【請求項４１】
前記第１画素が前記第１フレームセット内に表示する映像は、前記第１ガンマ曲線による第１映像及び前記第２ガンマ曲線による第２映像を含み、
前記第１映像の輝度は前記第２映像の輝度以上であり、
前記第１画素に対して前記第２映像は連続した二つのフレームで表示される、請求項４０に記載の表示装置の駆動方法。
【請求項４２】
前記第１フレームセットで前記第１画素が表示する前記第１映像及び前記第２映像の順序と、前記第１フレームセットに連続する第２フレームセットで前記第１画素が表示する前記第１映像及び前記第２映像の順序とは互いに反対である、請求項４１に記載の表示装置の駆動方法。
【請求項４３】
前記第１画素が前記第１フレームセット内に表示する映像は、前記第１ガンマ曲線による第１映像及び前記第２ガンマ曲線による第２映像を含み、
前記第１映像の輝度は前記第２映像の輝度以上であり、
前記第１画素に対して前記第１映像及び前記第２映像はフレームごとに交互に表示される、請求項４０に記載の表示装置の駆動方法。
【請求項４４】
前記第１フレームセットで前記第１画素に印加される前記データ電圧の極性配列順序は、前記第１フレームセットに連続する第２フレームセットで前記第１画素に印加される前記データ電圧の極性配列順序と反対である、請求項４３に記載の表示装置の駆動方法。
【請求項４５】
前記第１画素及び前記第２画素それぞれは第１副画素及び第２副画素を含む、請求項４０に記載の表示装置の駆動方法。
【請求項４６】
二つ以上のガンマ曲線に対するガンマデータを貯蔵するメモリ、
前記ガンマデータに基づいて階調電圧を生成する階調電圧生成部、
外部から入力映像信号を受信する信号制御部、
前記信号制御部から前記入力映像信号を受信し、前記階調電圧を利用して前記入力映像信号をデータ電圧に変換するデータ駆動部、及び
前記データ電圧を伝達する複数のデータ線、そして前記データ電圧の印加を受けてフレーム単位でそれぞれ映像を表示する複数の画素を含む表示板を含み、
前記複数の画素は、互いに隣接してそれぞれの入力映像信号に対応する映像を表示する第１画素及び第２画素を含み、
前記第１画素及び前記第２画素それぞれは、二つ以上の連続したフレームを含む第１フレームセット内に一つの入力映像信号に対応する映像を表示し、
前記第１画素及び前記第２画素それぞれが前記第１フレームセット内に表示する映像は、互いに異なるガンマ曲線による映像を含み、
一つのフレーム内に、前記第１画素が表示する映像が従うガンマ曲線と、前記第２画素が表示する映像が従うガンマ曲線とは互いに異なり、
前記複数の画素中、互いに隣接して同一の色を示す二つの画素が表示する映像は、互いに異なるガンマ曲線による、表示装置。
【請求項４７】
前記第１画素が前記第１フレームセット内に表示する映像は、前記第１ガンマ曲線による第１映像及び前記第２ガンマ曲線による第２映像を含み、
前記第１映像の輝度は前記第２映像の輝度以上であり、
前記第１画素に対して前記第２映像は連続した二つのフレームで表示される、請求項４６に記載の表示装置。
【請求項４８】
前記第１フレームセットで前記第１画素が表示する前記第１映像及び前記第２映像の順序と、前記第１フレームセットに連続する第２フレームセットで前記第１画素が表示する前記第１映像及び前記第２映像の順序とは互いに反対である、請求項４７に記載の表示装置。
【請求項４９】
前記第１画素が前記第１フレームセット内に表示する映像は、前記第１ガンマ曲線による第１映像及び前記第２ガンマ曲線による第２映像を含み、
前記第１映像の輝度は前記第２映像の輝度以上であり、
前記第１画素に対して前記第１映像及び前記第２映像はフレームごとに交互に表示される、請求項４６に記載の表示装置。
【請求項５０】
前記第１フレームセットで前記第１画素に印加される前記データ電圧の極性配列順序は、前記第１フレームセットに連続する第２フレームセットで前記第１画素に印加される前記データ電圧の極性配列順序と反対である、請求項４９に記載の表示装置。
【発明の詳細な説明】
【技術分野】
【０００１】
本発明は、表示装置及びその駆動方法に関し、特に、視認性を改善することができる表示装置及びその駆動方法に関する。
【背景技術】
【０００２】
液晶表示装置（ｌｉｑｕｉｄ  ｃｒｙｓｔａｌ  ｄｉｓｐｌａｙ、ＬＣＤ）、及び有機発光表示装置（ｏｒｇａｎｉｃ  ｌｉｇｈｔ  ｅｍｉｔｔｉｎｇ  ｄｉｏｄｅ  ｄｉｓｐｌａｙ）などの表示装置は、一般にスイッチング素子を含む複数の画素及び複数の信号線が具備された表示板と、階調基準電圧を生成する階調電圧生成部と、階調基準電圧を利用して複数の階調電圧を生成し、生成された階調電圧のうちの入力映像信号に該当する階調電圧をデータ信号としてデータ線に印加するデータ駆動部となどを含む。
【０００３】
この中で、液晶表示装置は、画素電極及び対向電極が具備された二つの表示板と、その間に介在されている誘電率異方性（ｄｉｅｌｅｃｔｒｉｃ  ａｎｉｓｏｔｒｏｐｙ）を有する液晶層とを含む。画素電極は、行列状に配列されており、薄膜トランジスタ（ＴＦＴ）などスイッチング素子に連結されて、一行ずつ順次にデータ電圧の印加を受ける。対向電極は、表示板の全面にわたって形成されており、共通電圧Ｖｃｏｍの印加を受ける。画素電極及び対向電極に電圧を印加して液晶層に電界を生成し、この電界の強さを調節して液晶層を通過する光の透過率を調節することによって、所望する画像を得ることができる。
【０００４】
液晶表示装置は、前面視認性に比べて側面視認性が劣る場合があり、これを解決するために、一つの画素を二つの副画素に分割し、二つの副画素の電圧を異なるようにする方法が提示された。このように一つの画素を二つの副画素分割すれば、光が透過できる開口部が小さくなって透過率が低下する恐れがある。
【発明の概要】
【発明が解決しようとする課題】
【０００５】
本発明の目的は、透過率及び側面視認性を向上させて、表示品質を高めることができる表示装置及びその駆動方法を提供することにある。
【課題を解決するための手段】
【０００６】
本発明の一実施形態による表示装置は、第１ガンマ曲線及び第２ガンマ曲線を含む二つ以上のガンマ曲線に対するガンマデータを貯蔵するメモリ、前記ガンマデータに基づいて階調電圧を生成する階調電圧生成部、外部から入力映像信号を受信する信号制御部、前記信号制御部から前記入力映像信号を受信し、前記階調電圧を利用して前記入力映像信号をデータ電圧に変換するデータ駆動部、及び前記データ電圧の印加を受けてフレーム単位で映像を表示する画素を含む表示板を含み、前記画素は、二つ以上の連続したフレームを含む一つのフレームセット内に一つの入力映像信号に対応する映像を表示し、前記画素が前記フレームセット内に表示する映像は、前記第１ガンマ曲線による第１映像及び前記第２ガンマ曲線による第２映像を含み、前記第１映像の輝度は前記第２映像の輝度以上であり、前記第２映像は連続した二つのフレームで表示される。
【０００７】
第１フレームセットで前記画素が表示する映像の順序と、前記第１フレームセットに連続する第２フレームセットで前記画素が表示する映像の順序とは互いに反対であってもよい。
【０００８】
前記一つのフレームセットは、三つ以上の連続したフレームを含み、前記第１フレームセットの間、前記第１映像は一つのフレーム内に表示され、前記第２映像は連続する二つ以上のフレーム内に表示される。
【０００９】
前記メモリは、前記第１及び第２ガンマ曲線と異なる第３ガンマ曲線に対するガンマデータをさらに貯蔵し、前記画素は、前記一つのフレームセット内に前記第３ガンマ曲線による第３映像をさらに表示し、前記第３映像の輝度は前記第１映像の輝度以下であり、前記第２映像の輝度以上であってもよい。
【００１０】
前記表示板は、互いに隣接して互いに異なる入力映像信号に対応する映像を表示する第１画素及び第２画素を含み、前記第１画素及び前記第２画素それぞれは、二つ以上の連続したフレームを含む一つのフレームセット内に一つの入力映像信号に対応する映像を表示し、前記第１画素及び前記第２画素それぞれが前記フレームセット内に表示する映像は、前記第１映像及び前記第２映像を含み、一つのフレームにおいて、前記第１画素が表示する映像が従うガンマ曲線と、前記第２画素が表示する映像が従うガンマ曲線とは互いに異なってもよい。
【００１１】
前記一つのフレームセットは、三つ以上の連続したフレームを含んでもよい。
【００１２】
前記一つのフレームセットで前記画素が前記第３映像を表示するフレームは、前記第１映像を表示するフレーム及び前記第２映像を表示するフレームの間に位置してもよい。
【００１３】
前記第３映像は、連続した二つのフレームで表示されてもよい。
【００１４】
前記メモリは、前記第１、第２及び第３ガンマ曲線と異なる第４ガンマ曲線に対するガンマデータをさらに貯蔵し、前記画素は、前記一つのフレームセット内に前記第４ガンマ曲線による第４映像をさらに表示し、前記第４映像の輝度は、前記第３映像の輝度より以下であり、前記第２映像の輝度以上であってもよい。
【００１５】
前記一つのフレームセットにおいて、前記第４映像を表示するフレームは、前記第３映像を表示するフレーム及び前記第２映像を表示するフレームの間に位置してもよい。
【００１６】
前記画素は、同一の入力映像信号に対する映像を表示する第１副画素及び第２副画素を含み、前記第１副画素及び前記第２副画素は、それぞれ前記一つのフレームセット内に前記入力映像信号に対応する映像を表示し、第１副画素及び第２副画素のうちの一つが表示する前記第２映像は連続した二つのフレームで表示されてもよい。
【００１７】
第１フレームセットで前記第１及び第２副画素が表示する映像の順序と、前記第１フレームセットに連続する第２フレームセットで前記第１及び第２副画素が表示する映像の順序とは互いに反対であってもよい。
【００１８】
前記メモリは、前記第１及び第２ガンマ曲線と異なる第３ガンマ曲線に対するガンマデータをさらに貯蔵し、前記第１副画素及び前記第２副画素のうちの少なくとも一つは、前記一つのフレームセット内に前記第３ガンマ曲線による第３映像をさらに表示し、前記第３映像の輝度は、前記第１映像の輝度以下であり、前記第２映像の輝度以上であってもよい。
【００１９】
前記表示板は、互いに隣接して互いに異なる入力映像信号に対応する映像を表示する第１画素及び第２画素を含み、前記第１画素及び前記第２画素それぞれは、前記一つの入力映像信号に対する映像を表示する第１副画素及び第２副画素を含み、前記第１画素及び前記第２画素それぞれは、二つ以上の連続したフレームを含む一つのフレームセット内に前記一つの入力映像信号に対応する映像を表示し、一つのフレームにおいて、前記第１画素の前記第１副画素及び前記第２副画素のうちの少なくとも一つが表示する映像が従うガンマ曲線と、前記第２画素の前記第１副画素及び前記第２副画素のうちの少なくとも一つが表示する映像が従うガンマ曲線とは互いに異なってもよい。
【００２０】
前記一つのフレームセットにおいて、前記第１副画素及び前記第２副画素のうちのいずれか一つが前記第３映像を表示するフレームは、前記第１映像を表示するフレーム及び前記第２映像を表示するフレームの間に位置することができる。
【００２１】
第１フレームセットで前記第１及び第２副画素が表示する映像の順序と、前記第１フレームセットに連続する第２フレームセットで前記第１及び第２副画素が表示する映像の順序とは互いに反対であってもよい。
【００２２】
第１副画素及び第２副画素のうちの一つが表示する前記第３映像は、連続した二つのフレームで表示されてもよい。
【００２３】
前記表示板は、互いに隣接して互いに異なる入力映像信号に対応する映像を表示する第１画素及び第２画素を含み、前記第１画素及び前記第２画素それぞれは、前記一つの入力映像信号に対する映像を表示する第１副画素及び第２副画素を含み、前記第１画素及び前記第２画素それぞれは、二つ以上の連続したフレームを含む一つのフレームセット内に前記一つの入力映像信号に対応する映像を表示し、一つのフレームにおいて、前記第１画素の前記第１副画素及び前記第２副画素のうちの少なくとも一つが表示する映像が従うガンマ曲線と、前記第２画素の前記第１副画素及び前記第２副画素のうちの少なくとも一つが表示する映像が従うガンマ曲線とは互いに異なってもよい。
【００２４】
前記メモリは、前記第１、第２及び第３ガンマ曲線と異なる第４ガンマ曲線に対するガンマデータをさらに貯蔵し、前記第１副画素及び前記第２副画素のうちの少なくとも一つは、前記一つのフレームセット内に前記第４ガンマ曲線による第４映像をさらに表示し、前記第４映像の輝度は、前記第３映像の輝度以下であり、前記第２映像の輝度以上であってもよい。
【００２５】
前記一つのフレームセットにおいて、前記第１副画素及び前記第２副画素のうちのいずれか一つが前記第４映像を表示するフレームは、前記第３映像を表示するフレーム及び前記第２映像を表示するフレームの間に位置することができる。
【００２６】
前記表示板は、互いに隣接して互いに異なる入力映像信号に対応する映像を表示する第１画素及び第２画素を含み、前記第１画素及び前記第２画素それぞれは、二つ以上の連続したフレームを含む一つのフレームセット内に一つの入力映像信号に対応する映像を表示し、前記第１画素及び前記第２画素それぞれが前記フレームセット内に表示する映像は、前記第１映像及び前記第２映像を含み、一つのフレームにおいて、前記第１画素が前記第１映像を表示する時、前記第２画素は前記第２映像を表示することができる。
【００２７】
前記表示板に光を提供するバックライト部をさらに含み、前記一つのフレームセットは、第１フレーム及び前記第１フレームの次の第２フレームを含み、前記画素は、前記第１フレームで前記第１映像を表示し、第２フレームで前記第２映像を表示し、前記バックライト部は、前記第１フレームで第１輝度の光を前記表示板に提供し、前記第２フレームでは前記第１輝度より低い第２輝度の光を前記表示板に提供してもよい。
【００２８】
前記第２フレームで表示される前記第２映像の輝度は０であり、前記バックライト部は、前記第２フレーム間オフされて光を前記画素に提供しなくてもよい。
【００２９】
前記バックライト部は、前記第２フレームで第１時間オンされて光を前記画素に提供し、前記第１時間のデューティ比は１より小さくてもよい。
【００３０】
前記表示板に光を提供するバックライト部をさらに含み、前記一つのフレームセットは、第１フレーム及び前記第１フレームの次の第２フレームを含み、前記画素は、前記第１フレームで前記第２映像を表示し、第２フレームで前記第１映像を表示し、前記第２フレームで前記バックライト部が前記画素に提供する光の輝度は、前記第１フレームで前記バックライト部が前記画素に提供する光の輝度より高くてもよい。
【００３１】
前記第１フレームで表示される前記第２映像の輝度が０であるか、または前記第２フレームで表示される前記第１映像の輝度が最高輝度であってもよい。
【００３２】
前記表示板は、複数の液晶分子を含む液晶層をさらに含み、隣接する二つのフレームで前記画素が第１輝度の映像を表示した後、前記第１輝度より低い第２輝度の映像を表示する時、前記画素が表示する映像の輝度が前記第１及び第２輝度映像の輝度差の９９％から１％まで変化する時の前記液晶分子の下降応答速度は、フレーム周波数が２４０Ｈｚの時４．１７ｍｓ以下であってもよい。
【００３３】
前記表示板は、複数の液晶分子を含む液晶層をさらに含み、隣接する二つのフレームで前記画素が第１輝度の映像を表示した後、前記第１輝度より低い第２輝度の映像を表示する時、前記画素が表示する映像の輝度が前記第１及び第２輝度映像の輝度差の９９％から１％まで変化する時の前記液晶分子の下降応答速度は、フレーム周波数が１２０Ｈｚの時８．３ｍｓ以下であってもよい。
【００３４】
本発明の一実施形態による表示装置は、二つ以上のガンマ曲線に対するガンマデータを貯蔵するメモリ、前記ガンマデータに基づいて階調電圧を生成する階調電圧生成部、外部から入力映像信号を受信する信号制御部、前記信号制御部から前記入力映像信号を受信し、前記階調電圧を利用して前記入力映像信号をデータ電圧に変換するデータ駆動部、及び前記データ電圧の印加を受けてフレーム単位でそれぞれ映像を表示する第１画素及び第２画素を含む表示板を含み、前記第１画素及び前記第２画素は、互いに隣接して互いに異なる入力映像信号に対応する映像を表示し、前記第１画素及び前記第２画素それぞれは、二つ以上の連続したフレームを含む一つのフレームセット内に一つの入力映像信号に対応する映像を表示し、前記第１画素及び前記第２画素それぞれが前記フレームセット内に表示する映像は、前記二つ以上のガンマ曲線による映像を含み、一つのフレームにおいて、前記第１画素が表示する映像が従うガンマ曲線と、前記第２画素が表示する映像が従うガンマ曲線とは互いに異なる。
【００３５】
前記第１画素及び前記第２画素それぞれは、前記一つの入力映像信号に対する映像を表示する第１副画素及び第２副画素を含み、一つのフレームにおいて、前記第１画素の前記第１副画素及び前記第２副画素のうちの少なくとも一つが表示する映像が従うガンマ曲線と、前記第２画素の前記第１副画素及び前記第２副画素のうちの少なくとも一つが表示する映像が従うガンマ曲線とは互いに異なってもよい。
【００３６】
本発明の一実施形態による表示装置は、第１ガンマ曲線及び第２ガンマ曲線を含む二つ以上のガンマ曲線に対するガンマデータを貯蔵するメモリ、前記ガンマデータに基づいて階調電圧を生成する階調電圧生成部、外部から入力映像信号を受信する信号制御部、前記信号制御部から前記入力映像信号を受信し、前記階調電圧を利用して前記入力映像信号をデータ電圧に変換するデータ駆動部、前記データ電圧の印加を受けてフレーム単位で映像を表示する画素を含む表示板、及び前記表示板に光を提供するバックライト部を含み、前記画素は、二つ以上の連続したフレームを含む一つのフレームセット内に一つの入力映像信号に対応する映像を表示し、前記一つのフレームセットは第１フレーム及び前記第１フレームの次の第２フレームを含み、前記画素は、前記第１フレームで前記第１ガンマ曲線による第１映像を表示し、前記第２フレームで前記第２ガンマ曲線による第２映像を表示し、前記第１映像の輝度は、前記第２映像の輝度以上でなく、前記バックライト部は、前記第１フレームで第１輝度の光を前記表示板に提供し、前記第２フレームでは前記第１輝度より低い第２輝度の光を前記表示板に提供する。
【００３７】
前記第２フレームで表示される前記第２映像の輝度は０であり、前記バックライト部は、前記第２フレーム間オフされて光を前記画素に提供しなくてもよい。
【００３８】
前記バックライト部は、前記第２フレームで第１時間オンされて光を前記画素に提供し、前記第１時間のデューティ比は１より小さくてもよい。
【００３９】
本発明の一実施形態による表示装置は、第１ガンマ曲線及び第２ガンマ曲線を含む二つ以上のガンマ曲線に対するガンマデータを貯蔵するメモリ、前記ガンマデータに基づいて階調電圧を生成する階調電圧生成部、外部から入力映像信号を受信する信号制御部、前記信号制御部から前記入力映像信号を受信し、前記階調電圧を利用して前記入力映像信号をデータ電圧に変換するデータ駆動部、前記データ電圧の印加を受けてフレーム単位で映像を表示する画素を含む表示板、及び前記表示板に光を提供するバックライト部を含み、前記画素は二つ以上の連続したフレームを含む一つのフレームセット内に一つの入力映像信号に対応する映像を表示し、前記一つのフレームセットは第１フレーム及び前記第１フレームの次の第２フレームを含み、前記画素は、前記第１フレームで前記第２ガンマ曲線による第２映像を表示し、前記第２フレームで前記第１ガンマ曲線による第１映像を表示し、前記第１映像の輝度は前記第２映像の輝度以上でなく、前記第２フレームで前記バックライト部が前記画素に提供する光の輝度は、前記第１フレームで前記バックライト部が前記画素に提供する光の輝度より高い。
【００４０】
前記第１フレームで表示される前記第２映像の輝度が０であるか、または前記第２フレームで表示される前記第１映像の輝度が最高輝度であってもよい。
【００４１】
本発明の一実施形態による表示装置の駆動方法は、二つ以上のガンマ曲線に対するガンマデータを貯蔵するメモリ、前記ガンマデータに基づいて階調電圧を生成する階調電圧生成部、外部から入力映像信号を受信する信号制御部、前記信号制御部から前記入力映像信号を受信し、前記階調電圧を利用して前記入力映像信号をデータ電圧に変換するデータ駆動部、及び前記データ電圧の印加を受けてフレーム単位で映像を表示する画素を含む表示板を含む表示装置において、前記画素が二つ以上の連続されたフレームを含む一つのフレームセットの第１フレーム内に前記第１ガンマ曲線による第１映像を表示する段階、及び前記画素が前記一つのフレームセットの第２フレーム内に前記第２ガンマ曲線による第２映像を表示する段階を含み、前記第１映像の輝度は前記第２映像の輝度以上でなく、前記第２映像は連続した二つのフレームで表示される。
【００４２】
前記表示板は、互いに隣接して互いに異なる入力映像信号に対応する映像を表示する第１画素及び第２画素を含み、前記第１画素及び前記第２画素それぞれは、二つ以上の連続したフレームを含む一つのフレームセット内に一つの入力映像信号に対応する映像を表示し、前記第１画素及び前記第２画素それぞれが前記フレームセット内に表示する映像は、前記第１映像及び前記第２映像を含み、一つのフレームで前記第１画素が表示する映像が従うガンマ曲線と、前記第２画素が表示する映像が従うガンマ曲線とは互いに異なってもよい。
【００４３】
前記画素は、同一の入力映像信号に対する映像を表示する第１副画素及び第２副画素を含み、前記第１副画素及び前記第２副画素は、それぞれ前記一つのフレームセット内の前記入力映像信号に対応する映像を表示し、第１副画素及び第２副画素のうちの一つが表示する前記第２映像は、連続した二つのフレームで表示されてもよい。
【００４４】
本発明の一実施形態による表示装置の駆動方法は、第１ガンマ曲線及び第２ガンマ曲線を含む二つ以上のガンマ曲線に対するガンマデータを貯蔵するメモリ、前記ガンマデータに基づいて階調電圧を生成する階調電圧生成部、外部から入力映像信号を受信する信号制御部、前記信号制御部から前記入力映像信号を受信し、前記階調電圧を利用して前記入力映像信号をデータ電圧に変換するデータ駆動部、前記データ電圧の印加を受けてフレーム単位で映像を表示する画素を含む表示板、及び前記表示板に光を提供するバックライト部を含む表示装置において、前記画素が二つ以上の連続したフレームを含む一つのフレームセットの第１フレーム内に前記第１ガンマ曲線による第１映像を表示する段階、及び前記画素が、前記一つのフレームセットの第２フレーム内に前記第２ガンマ曲線による第２映像を表示する段階を含み、前記第１映像の輝度は前記第２映像の輝度以上でなく、前記バックライト部は、前記第１フレームで第１輝度の光を前記表示板に提供し、前記第２フレームでは前記第１輝度より低い第２輝度の光を前記表示板に提供する。
【００４５】
前記第２フレームで表示される前記第２映像の輝度は０であり、前記バックライト部は、前記第２フレーム間オフされて光を前記画素に提供しなくてもよい。
【００４６】
前記バックライト部は、前記第２フレームで第１時間オンされて光を前記画素に提供し、前記第１時間のデューティ比は１より小さくてもよい。
【００４７】
本発明の一実施形態による表示装置の駆動方法は、第１ガンマ曲線及び第２ガンマ曲線を含む二つ以上のガンマ曲線に対するガンマデータを貯蔵するメモリ、前記ガンマデータに基づいて階調電圧を生成する階調電圧生成部、外部から入力映像信号を受信する信号制御部、前記信号制御部から前記入力映像信号を受信し、前記階調電圧を利用して前記入力映像信号をデータ電圧に変換するデータ駆動部、前記データ電圧の印加を受けてフレーム単位で映像を表示する画素を含む表示板、及び前記表示板に光を提供するバックライト部を含む表示装置において、前記画素が二つ以上の連続したフレームを含む一つのフレームセットの第１フレーム内に前記第２ガンマ曲線による第２映像を表示する段階、及び前記画素が前記一つのフレームセットの第２フレーム内に前記第１ガンマ曲線による第１映像を表示する段階を含み、前記第１映像の輝度は前記第２映像の輝度以上であり、前記第２フレームで前記バックライト部が前記画素に提供する光の輝度は、前記第１フレームで前記バックライト部が前記画素に提供する光の輝度より高い。
【００４８】
前記第１フレームで表示される前記第２映像の輝度が０であるか、または前記第２フレームで表示される前記第１映像の輝度が最高輝度であってもよい。
【００４９】
本発明の一実施形態による表示装置の駆動方法は、フレーム単位で映像を表示し、互いに隣接する第１画素及び第２画素を含む複数の画素を含む表示装置において、二つ以上のガンマ曲線に対するガンマデータをメモリに貯蔵する段階、前記ガンマデータに基づいて階調電圧を生成する段階、外部から入力映像信号を受信し、前記階調電圧を利用して前記入力映像信号をデータ電圧に変換する段階、及び前記第１画素及び前記第２画素それぞれは、前記データ電圧の印加を受けて、二つ以上の連続したフレームを含む第１フレームセット内に一つの入力映像信号に対応する映像を表示する段階を含み、前記第１画素及び前記第２画素それぞれが前記第１フレームセット内に表示する映像は、互いに異なるガンマ曲線による映像を含み、一つのフレーム内において、前記第１画素が表示する映像が従うガンマ曲線と、前記第２画素が表示する映像が従うガンマ曲線とは互いに異なり、前記複数の画素のうちの互いに隣接して同一の色を示す二つの画素が表示する映像は、互いに異なるガンマ曲線による。
【００５０】
前記第１画素が前記第１フレームセット内に表示する映像は、前記第１ガンマ曲線による第１映像及び前記第２ガンマ曲線による第２映像を含み、前記第１映像の輝度は前記第２映像の輝度以上であり、前記第１画素に対して前記第２映像は、連続した二つのフレームで表示されてもよい。
【００５１】
前記第１フレームセットで前記第１画素が表示する前記第１映像及び前記第２映像の順序と、前記第１フレームセットに連続する第２フレームセットで前記第１画素が表示する前記第１映像及び前記第２映像の順序とは互いに反対であってもよい。
【００５２】
前記複数のデータ線のうちの隣接する二つのデータ線に印加される前記データ電圧の極性は互いに反対であってもよい。
【００５３】
前記複数の画素のうちの画素列方向に配列された画素は、前記複数のデータ線のうちの互いに異なる二つのデータ線に交互に連結されてもよい。
【００５４】
前記複数の画素に印加される前記データ電圧の極性は、毎フレームごとに反転してもよい。
【００５５】
前記複数の画素に印加される前記データ電圧の極性は、二つ以上のフレームごとに反転してもよい。
【００５６】
前記複数の画素のうちの画素列方向に配列された画素は、前記複数のデータ線のうちの同一のデータ線に連結されてもよい。
【００５７】
前記複数の画素に印加される前記データ電圧の極性は、毎フレームごとに反転してもよい。
【００５８】
前記複数の画素に印加される前記データ電圧の極性は、二つ以上のフレームごとに反転してもよい。
【００５９】
前記第１画素が前記第１フレームセット内に表示する映像は、前記第１ガンマ曲線による第１映像及び前記第２ガンマ曲線による第２映像を含み、前記第１映像の輝度は前記第２映像の輝度以上であり、前記第１画素に対して前記第１映像及び前記第２映像は、フレームごとに交互に表示されてもよい。
【００６０】
前記複数の画素のうちの画素列方向に配列された画素は、前記複数のデータ線のうちの互いに異なる二つのデータ線に交互に連結されてもよい。
【００６１】
前記第１フレームセットで前記第１画素に印加される前記データ電圧の極性配列順序は、前記第１フレームセットに連続する第２フレームセットで前記第１画素に印加される前記データ電圧の極性配列順序と反対であってもよい。
【００６２】
前記第１画素及び前記第２画素それぞれは、第１副画素及び第２副画素を含んでもよい。
【００６３】
本発明の一実施形態による表示装置は、二つ以上のガンマ曲線に対するガンマデータを貯蔵するメモリ、前記ガンマデータに基づいて階調電圧を生成する階調電圧生成部、外部から入力映像信号を受信する信号制御部、前記信号制御部から前記入力映像信号を受信し、前記階調電圧を利用して前記入力映像信号をデータ電圧に変換するデータ駆動部、前記データ電圧を伝達する複数のデータ線、及び前記データ電圧の印加を受けてフレーム単位でそれぞれ映像を表示する複数の画素を含む表示板を含み、前記複数の画素は、互いに隣接してそれぞれの入力映像信号に対応する映像を表示する第１画素及び第２画素を含み、前記第１画素及び前記第２画素それぞれは、二つ以上の連続したフレームを含む第１フレームセット内に一つの入力映像信号に対応する映像を表示し、前記第１画素及び前記第２画素それぞれが前記第１フレームセット内に表示する映像は、互いに異なるガンマ曲線による映像を含み、一つのフレーム内において、前記第１画素が表示する映像が従うガンマ曲線と、前記第２画素が表示する映像が従うガンマ曲線とは互いに異なり、前記複数の画素のうちの互いに隣接して同一の色を示す二つの画素が表示する映像は、互いに異なるガンマ曲線による。
【発明の効果】
【００６４】
本発明の実施形態によれば、表示装置の透過率及び側面視認性を向上して、表示装置の表示品質を高めることができる。
【図面の簡単な説明】
【００６５】
【図１Ａ】本発明の一実施形態による表示装置のブロック図である。
【図１Ｂ】本発明の一実施形態による表示装置のブロック図である。
【図２】本発明の一実施形態による表示装置の一画素の簡略な回路図であり、
【図３】本発明の一実施形態による表示装置のガンマ曲線を示すグラフである。
【図４】本発明の一実施形態による表示装置の一画素の輝度をフレーム順に示した図面である。
【図５Ａ】本発明の一実施形態による表示装置の一画素の輝度をフレーム順に示した図面である。
【図５Ｂ】本発明の一実施形態による表示装置の一画素の輝度をフレーム順に示した図面である。
【図５Ｃ】本発明の一実施形態による表示装置の一画素の輝度をフレーム順に示した図面である。
【図６】本発明の一実施形態による表示装置の一画素の輝度をフレーム順に示した図面である。
【図７】本発明の一実施形態による表示装置の一画素が含む二つの副画素を示した図面である。
【図８】本発明の一実施形態による表示装置の一画素の等価回路図である。
【図９】本発明の一実施形態による表示装置の一画素の平面図である。
【図１０】図９の表示装置のＸ−Ｘ線に沿った断面図である。
【図１１】本発明の一実施形態による表示装置の一画素の等価回路図である。
【図１２Ａ】本発明の一実施形態による表示装置の一画素の平面図である。
【図１２Ｂ】本発明の一実施形態による表示装置の一画素の平面図である。
【図１３】図１２Ａの表示装置のＸＩＩＩ−ＸＩＩＩ線に沿った断面図である。
【図１４】本発明の一実施形態による表示装置の一画素の等価回路図である。
【図１５】本発明の一実施形態による表示装置の一画素の等価回路図である。
【図１６】本発明の一実施形態による表示装置の一画素の等価回路図である。
【図１７】本発明の一実施形態による表示装置のガンマ曲線を示すグラフである。
【図１８Ａ】本発明の一実施形態による表示装置の一画素に適用されるガンマ曲線による輝度をフレーム順に示した図面である。
【図１８Ｂ】本発明の一実施形態による表示装置の一画素に適用されるガンマ曲線による輝度をフレーム順に示した図面である。
【図１９Ａ】本発明の一実施形態による表示装置の一画素に適用されるガンマ曲線による輝度をフレーム順に示した図面である。
【図１９Ｂ】本発明の一実施形態による表示装置の一画素に適用されるガンマ曲線による輝度をフレーム順に示した図面である。
【図２０Ａ】本発明の一実施形態による表示装置の一画素に適用されるガンマ曲線による輝度をフレーム順に示した図面である。
【図２０Ｂ】本発明の一実施形態による表示装置の一画素に適用されるガンマ曲線による輝度をフレーム順に示した図面である。
【図２１Ａ】本発明の一実施形態による表示装置の一画素に適用されるガンマ曲線による輝度をフレーム順に示した図面である。
【図２１Ｂ】本発明の一実施形態による表示装置の一画素に適用されるガンマ曲線による輝度をフレーム順に示した図面である。
【図２１Ｃ】本発明の一実施形態による表示装置の一画素に適用されるガンマ曲線による輝度をフレーム順に示した図面である。
【図２１Ｄ】本発明の一実施形態による表示装置の一画素に適用されるガンマ曲線による輝度をフレーム順に示した図面である。
【図２２Ａ】本発明の一実施形態による表示装置の一画素に適用されるガンマ曲線による輝度をフレーム順に示した図面である。
【図２２Ｂ】本発明の一実施形態による表示装置の一画素に適用されるガンマ曲線による輝度をフレーム順に示した図面である。
【図２３】本発明の一実施形態による表示装置のガンマ曲線を示すグラフである。
【図２４Ａ】本発明の一実施形態による表示装置の一画素に適用されるガンマ曲線による輝度をフレーム順に示した図面である。
【図２４Ｂ】本発明の一実施形態による表示装置の一画素に適用されるガンマ曲線による輝度をフレーム順に示した図面である。
【図２４Ｃ】本発明の一実施形態による表示装置の一画素に適用されるガンマ曲線による輝度をフレーム順に示した図面である。
【図２４Ｄ】本発明の一実施形態による表示装置の一画素に適用されるガンマ曲線による輝度をフレーム順に示した図面である。
【図２５Ａ】本発明の一実施形態による表示装置の一画素に適用されるガンマ曲線による輝度をフレーム順に示した図面である。
【図２５Ｂ】本発明の一実施形態による表示装置の一画素に適用されるガンマ曲線による輝度をフレーム順に示した図面である。
【図２６Ａ】本発明の一実施形態による表示装置の一画素に適用されるガンマ曲線による輝度をフレーム順に示した図面である。
【図２６Ｂ】本発明の一実施形態による表示装置の一画素に適用されるガンマ曲線による輝度をフレーム順に示した図面である。
【図２７Ａ】本発明の一実施形態による表示装置の一画素に適用されるガンマ曲線による輝度をフレーム順に示した図面である。
【図２７Ｂ】本発明の一実施形態による表示装置の一画素に適用されるガンマ曲線による輝度をフレーム順に示した図面である。
【図２８Ａ】本発明の一実施形態による表示装置の一画素に適用されるガンマ曲線による輝度をフレーム順に示した図面である。
【図２８Ｂ】本発明の一実施形態による表示装置の一画素に適用されるガンマ曲線による輝度をフレーム順に示した図面である。
【図２９Ａ】本発明の一実施形態による表示装置の一画素に適用されるガンマ曲線による輝度をフレーム順に示した図面である。
【図２９Ｂ】本発明の一実施形態による表示装置の一画素に適用されるガンマ曲線による輝度をフレーム順に示した図面である。
【図３０Ａ】本発明の一実施形態による表示装置の一画素に適用されるガンマ曲線による輝度をフレーム順に示した図面である。
【図３０Ｂ】本発明の一実施形態による表示装置の一画素に適用されるガンマ曲線による輝度をフレーム順に示した図面である。
【図３１Ａ】図２に示した表示装置の一画素に適用されるガンマ曲線による輝度をフレーム順に示した図面である。
【図３１Ｂ】図２に示した表示装置の一画素に適用されるガンマ曲線による輝度をフレーム順に示した図面である。
【図３２Ａ】図２に示した表示装置の一画素に適用されるガンマ曲線による輝度をフレーム順に示した図面である。
【図３２Ｂ】図２に示した表示装置の一画素に適用されるガンマ曲線による輝度をフレーム順に示した図面である。
【図３３Ａ】図２に示した表示装置の一画素に適用されるガンマ曲線による輝度をフレーム順に示した図面である。
【図３３Ｂ】図２に示した表示装置の一画素に適用されるガンマ曲線による輝度をフレーム順に示した図面である。
【図３４】本発明の一実施形態による表示装置の隣接する二つの画素に適用されるガンマ曲線による輝度をフレーム順に示した図面である。
【図３５】本発明の一実施形態による表示装置の隣接する４つの画素に適用されるガンマ曲線による輝度をフレーム順に示した図面である。
【図３６】本発明の一実施形態による表示装置の隣接する４つの画素に適用されるガンマ曲線による輝度をフレーム順に示した図面である。
【図３７】本発明の一実施形態による表示装置のガンマ曲線を示したグラフである。
【図３８】本発明の一実施形態による表示装置のバックライト部の駆動方法を示したタイミング図である。
【図３９】本発明の一実施形態による表示装置のバックライト部の駆動方法を示したタイミング図である。
【図４０】本発明の一実施形態による表示装置が入力映像信号によって表示する映像の階調及びバックライト部の輝度を示した図面である。
【図４１】本発明の一実施形態による表示装置が入力映像信号によって表示する映像の階調及びバックライト部の輝度を示した図面である。
【図４２】本発明の一実施形態による表示装置の複数の画素の簡略な回路図である。
【図４３】本発明の一実施形態による表示装置の複数の画素の簡略な回路図である。
【図４４】本発明の一実施形態による表示装置の複数の画素の輝度及びデータ電圧の極性をフレーム順に示した図面である。
【図４５】本発明の一実施形態による表示装置の一画素の輝度をフレーム順に示した図面である。
【図４６】本発明の一実施形態による表示装置の複数の画素の輝度及びデータ電圧の極性をフレーム順に示した図面である。
【図４７】本発明の一実施形態による表示装置の複数の画素の輝度及びデータ電圧の極性をフレーム順に示した図面である。
【図４８】本発明の一実施形態による表示装置の複数の画素の輝度及びデータ電圧の極性をフレーム順に示した図面である。
【図４９】本発明の一実施形態による表示装置の複数の画素の輝度及びデータ電圧の極性をフレーム順に示した図面である。
【図５０】本発明の一実施形態による表示装置の複数の画素の輝度及びデータ電圧の極性をフレーム順に示した図面である。
【図５１】本発明の一実施形態による表示装置の複数の画素の輝度及びデータ電圧の極性をフレーム順に示した図面である。
【図５２】本発明の一実施形態による表示装置の複数の画素の輝度及びデータ電圧の極性をフレーム順に示した図面である。
【図５３】本発明の一実施形態による表示装置の複数の画素の輝度及びデータ電圧の極性をフレーム順に示した図面である。
【図５４】本発明の一実施形態による表示装置の複数の画素の輝度及びデータ電圧の極性をフレーム順に示した図面である。
【図５５】本発明の一実施形態による表示装置の複数の画素の輝度及びデータ電圧の極性をフレーム順に示した図面である。
【図５６】本発明の一実施形態による表示装置の複数の画素の輝度及びデータ電圧の極性をフレーム順に示した図面である。
【図５７】本発明の一実施形態による表示装置の複数の画素の輝度及びデータ電圧の極性をフレーム順に示した図面である。
【図５８】本発明の一実施形態による表示装置の複数の画素の輝度及びデータ電圧の極性をフレーム順に示した図面である。
【図５９】本発明の一実施形態による表示装置の複数の画素の輝度及びデータ電圧の極性をフレーム順に示した図面である。
【図６０】本発明の一実施形態による表示装置の複数の画素の輝度及びデータ電圧の極性をフレーム順に示した図面である。
【発明を実施するための形態】
【００６６】
以下、添付した図面を参照して、本発明の実施形態について、本発明が属する技術分野における通常の知識を有する者が容易に実施できるように詳細に説明する。しかし、本発明は、種々の異なる形態に実現でき、ここで説明する実施形態に限られない。
【００６７】
図面において、種々の層及び領域を明確に表現するために厚さを拡大して示した。明細書の全体にわたって類似する部分に対しては同一の図面符号を付けた。層、膜、領域、板などの部分が他の部分の「上」にあるという時、これは他の部分の「すぐ上」にある場合だけでなく、その中間に他の部分がある場合も含む。一方、ある部分が他の部分の「すぐ上」にあるという時には、中間に他の部分がないことを意味する。
【００６８】
次に、本発明の一実施形態による表示装置及びその駆動方法について、図面を参照して詳細に説明する。
【００６９】
図１Ａ及び図１Ｂは、それぞれ本発明の一実施形態による表示装置のブロック図である。
【００７０】
本発明の一実施形態による表示装置は、表示板（ｄｉｓｐｌａｙ  ｐａｎｅｌ）３００、表示板３００に連結されたゲート駆動部４００とデータ駆動部５００、データ駆動部５００に連結された階調電圧生成部８００、これらを制御する信号制御部６００、及び信号制御部６００と連結されたメモリ６５０を含む。
【００７１】
表示板３００は、等価回路から見れば、複数の信号線と、これに連結されて、ほぼ行列状に配列された複数の画素ＰＸとを含む。本発明の一実施形態による表示装置が液晶表示装置である場合、表示板３００は、断面構造から見れば、互いに対向する下部及び上部表示板（図示せず）と、両方の間に介在されている液晶層（図示せず）とを含んでもよい。
【００７２】
信号線は、ゲート信号（「走査信号」ともいう）を伝達する複数のゲート線Ｇ１〜Ｇｎと、データ電圧を伝達する複数のデータ線Ｄ１〜Ｄｍとを含む。
【００７３】
各画素ＰＸは、色表示を実現するために基本色（ｐｒｉｍａｒｙ  ｃｏｌｏｒ）のうちの一つを表示するか（空間分割）、または各画素ＰＸが時間によって交互に基本色を表示して（時間分割）、これら基本色の空間的、時間的な相互作用によって所望する色が認識されるようにすることができる。互いに異なる基本色を表示する隣接した複数の画素ＰＸは、共に一つのセット（ドットという）を構成してもよい。一つのドットは、白色の映像を表示することができる。
【００７４】
ゲート駆動部４００は、ゲート線Ｇ１〜Ｇｎに連結されて、ゲートオン電圧Ｖｏｎとゲートオフ電圧Ｖｏｆｆの組み合わせからなるゲート信号Ｖｇをゲート線Ｇ１〜Ｇｎに印加する。
【００７５】
メモリ６５０は、信号制御部６００と連結されて、ガンマ曲線に対するガンマデータを記憶して、信号制御部６００に送信する。ガンマ曲線は、入力映像信号ＩＤＡＴの階調に対する輝度または透過率を示した曲線であって、これに基づいて階調電圧または基準階調電圧を定めることができる。メモリ６５０が貯蔵するガンマデータは、互いに異なる二つ以上のガンマ曲線に対するガンマデータを含むことができる。図１に示したものとは異なって、メモリ６５０は信号制御部６００または階調電圧生成部８００の中に含まれてもよく、データ駆動部５００の中に含まれてもよい。
【００７６】
階調電圧生成部８００は、画素ＰＸの透過率と係る全体階調電圧、または限定された数の階調電圧（基準階調電圧という）を生成する。（基準）階調電圧は、共通電圧Ｖｃｏｍに対して正の値を有するものと、負の値を有するものとを含むことができる。階調電圧生成部８００は、信号制御部６００からガンマデータを受信して、ガンマデータに基づいて（基準）階調電圧を生成することができる。
【００７７】
本発明の他の実施形態によれば、階調電圧生成部８００はデータ駆動部５００に含まれてもよい。
【００７８】
データ駆動部５００は、データ線Ｄ１〜Ｄｍと連結されており、階調電圧生成部８００からの階調電圧を選択して、これをデータ電圧Ｖｄとしてデータ線Ｄ１〜Ｄｍに印加する。しかし、階調電圧生成部８００が階調電圧を全て提供するのではなく、限定された数の基準階調電圧だけを提供する場合に、データ駆動部５００は、基準階調電圧を分圧して全体階調に対する階調電圧を生成し、この中でデータ電圧Ｖｄを選択してもよい。
【００７９】
信号制御部６００は、ゲート駆動部４００及びデータ駆動部５００などの動作を制御する。信号制御部６００は、入力映像信号ＩＤＡＴをフレーム単位で保存できるフレームメモリ６６０をさらに含んでもよい。
【００８０】
本発明の他の実施形態による表示装置は、図１Ｂに示したように、表示板３００に光を提供するバックライト部９００、及びバックライト制御部９５０をさらに含んでもよい。
【００８１】
バックライト制御部９５０は、信号制御部６００からバックライト制御信号ＣＯＮＴ４を受信して、これに基づいてバックライト部９００を制御することができる。バックライト制御信号ＣＯＮＴ４は、バックライト部９００の一部または全部のオン時間を制御するＰＷＭ制御信号を含んでもよい。
【００８２】
次に、このような表示装置の表示動作について説明する。
【００８３】
信号制御部６００は、外部から入力映像信号ＩＤＡＴ及びその表示を制御する入力制御信号ＩＣＯＮを受信する。入力映像信号ＩＤＡＴは、各画素ＰＸの輝度（ｌｕｍｉｎａｎｃｅ）情報を含んでおり、輝度は定められた数、例えば、１０２４（＝２１０）、２５６（＝２８）または６４（＝２６）個の階調（ｇｒａｙ）を有している。入力制御信号ＩＣＯＮの例としては、垂直同期信号、水平同期信号、メインクロック信号、及びデータイネーブル信号などがある。
【００８４】
信号制御部６００は、入力映像信号ＩＤＡＴと入力制御信号ＩＣＯＮに基づいて入力映像信号ＩＤＡＴを処理して、出力映像信号ＤＡＴに変換し、ゲート制御信号ＣＯＮＴ１、データ制御信号ＣＯＮＴ２、及びガンマ制御信号ＣＯＮＴ３などを生成する。信号制御部６００は、ゲート制御信号ＣＯＮＴ１をゲート駆動部４００に送信し、データ制御信号ＣＯＮＴ２と出力映像信号ＤＡＴをデータ駆動部５００に送信し、ガンマ制御信号ＣＯＮＴ３を階調電圧生成部８００に送信する。ガンマ制御信号ＣＯＮＴ３は、メモリ６５０に貯蔵されていたガンマデータを含んでもよい。
【００８５】
図１Ｂに示したように、本発明の一実施形態による表示装置が、バックライト部９００及びバックライト制御部９５０をさらに含む場合、信号制御部６００は、バックライト制御信号ＣＯＮＴ４をさらに生成して、バックライト制御部９５０に送信してもよい。
【００８６】
階調電圧生成部８００は、ガンマ制御信号ＣＯＮＴ３によって階調電圧または限定された数の基準階調電圧を生成して、データ駆動部５００に送信する。階調電圧は、互いに異なるガンマ曲線に対してそれぞれ備えられてもよく、別途の選択過程を経て選択されたガンマ曲線に対して階調電圧が生成されてもよい。
【００８７】
データ駆動部５００は、信号制御部６００からのデータ制御信号ＣＯＮＴ２によって一行の画素ＰＸに対するデジタル映像信号ＤＡＴを受信し、各デジタル映像信号ＤＡＴに対応する階調電圧を選択することによって、デジタル映像信号ＤＡＴをアナログデータ電圧Ｖｄに変換した後、これを当該データ線Ｄ１〜Ｄｍに印加する。
【００８８】
データ駆動部５００がデータ線Ｄ１〜Ｄｍにデータ電圧Ｖｄを出力して、各画素ＰＸに一つの映像を表示するフレーム周波数（入力周波数またはガンマ周波数ともいう）は、一つの入力映像信号ＩＤＡＴに対する映像を表示する連続した二つ以上のフレーム（フレームセットという）を単位とする映像周波数（出力周波数ともいう）と異なってもよい。具体的に、映像周波数はフレーム周波数の１／ｎ（ｎは、２以上の自然数）であってもよい。このとき、二つ以上のフレーム数はｎであり、映像周波数はフレーム周波数の１／ｎとなる。例えば、フレーム周波数が１２０Ｈｚの時、映像周波数は６０Ｈｚなどであってもよく、フレーム周波数が２４０Ｈｚの時、映像周波数は６０Ｈｚ、８０Ｈｚ、１２０Ｈｚなどであってもよい。
【００８９】
ゲート駆動部４００は、信号制御部６００からのゲート制御信号ＣＯＮＴ１によってゲートオン電圧Ｖｏｎをゲート線Ｇ１〜Ｇｎに印加して、このゲート線Ｇ１〜Ｇｎに連結されたスイッチング素子をターンオンさせる。以下、データ線に印加されたデータ電圧が、ターンオンされたスイッチング素子を通して当該画素ＰＸに印加される。画素ＰＸにデータ電圧が印加されると、画素ＰＸは多様な光学変換素子を通してデータ電圧に対応する輝度を表示することができる。例えば、液晶表示装置の場合、液晶層の液晶分子の傾いた程度を制御して光の偏光を調節し、入力映像信号ＩＤＡＴの階調に対応する輝度を表示することができる。この時、バックライト部９００の一部または全部は、バックライト制御部９５０の制御によってオンまたはオフされて、光を表示板３００に提供してもよい。
【００９０】
１水平周期［「１Ｈ」とも記し、水平同期信号Ｈｓｙｎｃ及びデータイネーブル信号ＤＥの一周期と同一である。］を単位として、このような過程を繰り返すことによって、全てのゲート線Ｇ１〜Ｇｎに対して順次にゲートオン電圧Ｖｏｎを印加し、全ての画素ＰＸにデータ電圧Ｖｄを印加して、一つのフレーム（ｆｒａｍｅ）の映像を表示する。
【００９１】
一つのフレームが終了すれば、次のフレームが開始し、各画素ＰＸに印加されるデータ電圧Ｖｄの極性が直前フレームでの極性と反対になるように、データ制御信号ＣＯＮＴ２が含む反転信号の状態が制御されてもよい（フレーム反転という）。フレーム反転時、一つ以上のフレームごとに全体画素ＰＸに印加されるデータ電圧Ｖｄの極性を反転してもよい。一つのフレーム内でも反転信号の特性によって一つのデータ線Ｄ１〜Ｄｍを通して流れるデータ電圧Ｖｄの極性が周期的に変化するか、または一画素行のデータ線Ｄ１〜Ｄｍに印加されるデータ電圧Ｖｄの極性が互いに異なってもよい。
【００９２】
次に、上述した図１Ａ及び図１Ｂと共に図２乃至図６を参照して、本発明の一実施形態による表示装置及びその駆動方法について説明する。
【００９３】
図２は、本発明の一実施形態による表示装置の一画素の簡略な回路図であり、図３は、本発明の一実施形態による表示装置のガンマ曲線を示したグラフであり、図４は、本発明の一実施形態による表示装置の一画素の輝度をフレーム順に示した図面であり、図５Ａ、図５Ｂ、図５Ｃ及び図６は、それぞれ本発明の一実施形態による表示装置の一画素の輝度をフレーム順に示した図面である。
【００９４】
図２を参照すれば、本発明の一実施形態による表示装置が含む一画素ＰＸは、少なくとも一つのデータ線Ｄｊ及び少なくとも一つのゲート線Ｇｉに連結されている少なくとも一つのスイッチング素子Ｑ及びこれに連結された少なくとも一つの画素電極１９１を含んでもよい。スイッチング素子Ｑは、少なくとも一つの薄膜トランジスタを含んでもよく、ゲート線Ｇｉ（ゲート線１２１）が伝達するゲート信号Ｖｇによって制御されて、データ線Ｄｊ（データ線１７１）が伝達するデータ電圧Ｖｄを画素電極１９１に伝達することができる。
【００９５】
本発明の一実施形態による表示装置のメモリ６５０またはデータ駆動部５００が含むガンマデータは、互いに異なる二つ以上のガンマ曲線に対するガンマデータを含んでもよい。
【００９６】
本発明の一実施形態によれば、一画素ＰＸは、一つのフレームセットが含む複数のフレーム内に互いに異なるガンマ曲線によるデータ電圧Ｖｄの印加を受けて映像を表示することができ、これを時分割駆動という。
【００９７】
具体的に、図３を参照すれば、本発明の一実施形態によるガンマデータは、第１ガンマ曲線ＧＨ及び第２ガンマ曲線ＧＬに対するガンマデータを含んでもよい。ここで、第１ガンマ曲線ＧＨによる映像の輝度は、第２ガンマ曲線ＧＬによる映像の輝度より高いか、または同一であってもよい。
【００９８】
一画素ＰＸは、一つの入力映像信号ＩＤＡＴに対する連続した二つ以上のフレームからなる一つのフレームセット内に、第１ガンマ曲線ＧＨによるデータ電圧Ｖｄ、及び第２ガンマ曲線ＧＬによるデータ電圧Ｖｄの印加を受けて、映像を表示することができる。従って、上述したように映像周波数は、フレーム周波数の１／ｎ（ｎは、２以上の自然数）になってもよい。このとき、二つ以上のフレーム数はｎであり、映像周波数はフレーム周波数の１／ｎとなる。
【００９９】
第１ガンマ曲線ＧＨ及び第２ガンマ曲線ＧＬは、側面視認性を向上させるために第１ガンマ曲線ＧＨ及び第２ガンマ曲線ＧＬの正面における合成ガンマ曲線が、表示装置に最も適合するように定められた正面ガンマ曲線（例えば、ガンマ値が２．２であるガンマ曲線）Ｇｆと一致するようにし、側面における合成ガンマ曲線が正面ガンマ曲線Ｇｆに最大限近くなるように調整されてもよい。
【０１００】
第１ガンマ曲線ＧＨ及び第２ガンマ曲線ＧＬを利用して側面視認性を向上させる具体的な駆動方法について、図４乃至図６を参照して具体的に説明する。
【０１０１】
まず、図４を参照すれば、本発明の一実施形態による表示装置の画素ＰＸは、連続した二つのフレーム（Ｆｒａｍｅ）を一つのフレームセットにして駆動されてもよい。例えば、連続した二つのフレーム１Ｆ、２Ｆでは、入力映像信号ＩＤＡＴ１に対する映像を表示し、次に連続した二つのフレーム３Ｆ、４Ｆでは、次の入力映像信号ＩＤＡＴ２に対する映像を表示することができる。
【０１０２】
一つのフレームセットが含む二つのフレームのうちの一つは、第１ガンマ曲線ＧＨによる映像（第１映像Ｈという）を表示し、それ以外の一つのフレームは、第２ガンマ曲線ＧＬによる映像（第２映像Ｌという）を表示する。このように時分割駆動によれば、連続したフレームで互いに異なるガンマ曲線による映像を表示して、これらの側面における合成ガンマ曲線を正面ガンマ曲線Ｇｆに最大限近くして、側面視認性を向上させることができる。また、一つの画素ＰＸを分割する必要がないので、透過率も向上させることができる。
【０１０３】
特に、図４に示したように、入力映像信号ＩＤＡＴ１に対するフレームセットの第１フレームで第１映像Ｈを表示し、第２フレームで第２映像Ｌを表示した場合、次の入力映像信号ＩＤＡＴ２に対するフレームセットでは、第１フレームで第２映像Ｌを表示し、第２フレームで第１映像Ｈを表示する。同様に、入力映像信号ＩＤＡＴ２の次の入力映像信号に対するフレームセットでは、第１映像Ｈを第２映像Ｌより先に表示してもよい。
【０１０４】
このように、連続したフレームセットで第１映像Ｈと第２映像Ｌを表示する順序を反対にすれば、輝度の低い第２映像Ｌが連続したフレームで表示されるので、液晶表示装置の場合、液晶分子の遅い応答速度を補償することができる。具体的に説明すれば、輝度の低い第２映像Ｌが連続したフレームで表示されるため、この連続する２つのフレームでは第２映像Ｌのみが表示される。よって、液晶分子の傾いた方向が、映像の輝度が高い側から輝度が低い側に変化する時の応答速度（下降応答速度という）が一定水準以上に確保される。つまり、第２映像Ｌが連続するフレームでは映像の輝度の極端に高い側から低い側への変化がない。具体的に、ＩＤＡＴ１に対する第２フレームの第２映像Ｌになる際には前のフレームの第１映像Ｈから第２映像Ｌに向かって下降応答速度を或る程度要するものの、ＩＤＡＴ２に対する第３フレームの第２映像Ｌの際には、第２フレームから第２映像Ｌが連続しているため、下降応答速度に要するほどの応答速度を要しない。これによって、本発明の一実施形態による時分割駆動方法を適用して側面視認性が十分に向上できるが、本発明の一実施形態によれば、連続した二つのフレームで輝度の低い第２映像Ｌが表示されて、時分割駆動で低階調を十分に表示することができるので、側面視認性がさらに向上することができる。
【０１０５】
特に、本発明の一実施形態において、視認性を極大化するために液晶分子の下降応答速度が速い必要がある。例えば、映像が高輝度から低輝度に変化する時、二つの輝度差の９９％から１％まで映像の輝度が変化する時の液晶分子の下降応答速度は、フレーム周波数が２４０Ｈｚの時、４．１７ｍｓ以下であり、フレーム周波数が１２０Ｈｚの時、８．３ｍｓ以下であってもよい。
【０１０６】
また、このように連続したフレームセットで第１映像Ｈと第２映像Ｌを表示する順序を反対にすれば、輝度が高い第１映像Ｈも連続したフレームで表示されることができる。従って、低輝度の映像を表示した後に高輝度の映像を表示する場合、液晶分子の応答速度を補償して、十分な高階調を表示することができる。つまり、上述の低輝度のフレームが連続する場合と同様に、輝度が高い第１映像Ｈを連続して表示することで、最初の輝度が高いフレームでは映像の輝度が低い側から輝度が高い側に変化する時の応答速度（上昇応答速度）に時間を要するものの、輝度が高いフレーム間では上昇応答速度に要するほどの応答速度を要しない。よって、応答速度を補償することができる。
【０１０７】
次に、図５Ａ、図５Ｂ及び図５Ｃを参照すれば、本実施形態による画素ＰＸは、連続した三つのフレームを一つのフレームセットにして、一つの入力映像信号ＩＤＡＴに対する映像を表示してもよい。例えば、連続した三つのフレーム１Ｆ、２Ｆ、３Ｆでは、入力映像信号ＩＤＡＴ１に対する映像を表示し、次いで連続した二つのフレーム４Ｆ、５Ｆ、６Ｆでは、次の入力映像信号ＩＤＡＴ２に対する映像を表示してもよい。
【０１０８】
例えば、図５Ａに示したように、一つのフレームセットが含む三つのフレームのうちの第１フレームは第１映像Ｈを表示し、それ以外の二つのフレームは第２映像Ｌを表示してもよい。この時、連続した二つのフレームが輝度の低い第２映像Ｌを表示するので、上述したように液晶表示装置の液晶分子の遅い応答速度を補償して、側面視認性をさらに向上することができる。
【０１０９】
図５Ｂに示したように、連続したフレームセットにおいて、第１映像Ｈ及び第２映像Ｌを表示する順序を反対にして、輝度の低い第２映像Ｌが最大限連続して表示され、連続した二つのフレームで輝度の高い第１映像Ｈが表示されるようにしてもよい。
【０１１０】
図５Ｃに示したように、連続したフレームセットで第１映像Ｈ及び第２映像Ｌが配置された順序が同一であってもよい。例えば、一つのフレームセットが含む三つのフレームのうちの第１フレーム及び最後のフレームは第２映像Ｌを表示し、第２フレームは第１映像Ｈを表示してもよい。この時にも隣接する二つのフレームセットの間の連続した二つのフレームが輝度の低い第２映像Ｌを表示するので、液晶表示装置の液晶分子の遅い応答速度を補償して、側面視認性をさらに向上することができる。また、連続した二つのフレームで輝度の高い第１映像Ｈが表示されるので、低輝度で高輝度の映像を表示する時に、液晶分子の遅い応答速度を補償することもできる。
【０１１１】
次に、図６を参照すれば、本実施形態による画素ＰＸは、連続した四つのフレームを一つのフレームセットにして、一つの入力映像信号ＩＤＡＴに対する映像を表示してもよい。例えば、連続した四つのフレーム１Ｆ、２Ｆ、３Ｆ、４Ｆでは、入力映像信号ＩＤＡＴ１に対する映像を表示し、次いで連続した二つのフレーム５Ｆ、６Ｆ、７Ｆ、８Ｆでは、次の入力映像信号ＩＤＡＴ２に対する映像を表示してもよい。図６に示したように、一つのフレームセットが含む四つのフレームのうちの第１フレームは第１映像Ｈを表示し、それ以外の三つのフレームは第２映像Ｌを表示してもよい。この時、連続した三つのフレームが輝度の低い第２映像Ｌを表示するので、上述した通り、液晶表示装置の液晶分子の遅い応答速度を補償して、側面視認性をさらに向上することができる。
【０１１２】
図６に示したものとは異なって、連続したフレームセットにおいて、第１映像Ｈ及び第２映像Ｌを表示する順序を反対にして、連続した六つのフレームで第２映像Ｌを表示し、連続した二つのフレームで第１映像Ｈを表示してもよい。
【０１１３】
これ以外にも、五つ以上の連続したフレームを一つのフレームセットにして、一つの入力映像信号ＩＤＡＴに対する映像を表示してもよい。この時、一つのフレームセットでは輝度が低い第２映像Ｌのフレームを最大限連続するようにして、低階調を十分に表現して、側面視認性がさらに向上することができる。
【０１１４】
次に、図７を参照して、本発明の一実施形態による表示装置について説明する。
【０１１５】
図７は、本発明の一実施形態による表示装置の一画素が含む二つの副画素を示した図面である。
【０１１６】
図７を参照すれば、本発明の一実施形態による表示装置が含む一画素ＰＸは、第１副画素ＰＸａ及び第２副画素ＰＸｂを含んでもよい。第１副画素ＰＸａ及び第２副画素ＰＸｂは、一つの入力映像信号ＩＤＡＴに対して互いに異なるガンマ曲線による映像を表示してもよく、同一のガンマ曲線による映像を表示してもよい。第１副画素ＰＸａ及び第２副画素ＰＸｂが、一つの入力映像信号ＩＤＡＴに対して互いに異なるガンマ曲線による映像を表示すれば、側面視認性を向上させることができ、これを空間分割駆動という。第１副画素ＰＸａと第２副画素ＰＸｂの面積は互いに同一であってもよく、第２副画素ＰＸｂの面積が第１副画素ＰＸａの面積より大きくてもよい。
【０１１７】
このような第１副画素ＰＸａ及び第２副画素ＰＸｂを含む画素ＰＸの多様な構造について、図８乃至図１６を参照して説明する。
【０１１８】
まず、図８、図９及び図１０を参照して、本発明の一実施形態による表示装置について説明する。
【０１１９】
図８は、本発明の一実施形態による表示装置の一画素の等価回路図であり、図９は、本発明の一実施形態による表示装置の一画素の平面図であり、図１０は、図９の表示装置のＸ−Ｘ線に沿った断面図である。
【０１２０】
まず、図８を参照すれば、本発明の一実施形態による表示装置は液晶表示装置であって、ゲート線１２１、減圧ゲート線１２３、及びデータ線１７１を含む信号線と、これに連結された画素ＰＸを含む。
【０１２１】
各画素ＰＸは第１副画素ＰＸａ及び第２副画素ＰＸｂを含む。第１副画素ＰＸａは、第１スイッチング素子Ｑａ、第１液晶キャパシタＣｌｃａ、及び第１ストレージキャパシタＣｓｔａを含み、第２副画素ＰＸｂは、第２及び第３スイッチング素子Ｑａ、Ｑｂ、Ｑｃ、第２液晶キャパシタＣｌｃａ、Ｃｌｃｂ、第２ストレージキャパシタＣｓｔａ、Ｃｓｔｂ、及び減圧キャパシタＣｓｔｄを含む。
【０１２２】
第１及び第２スイッチング素子Ｑａ、Ｑｂは、それぞれゲート線１２１及びデータ線１７１に連結されており、第３スイッチング素子Ｑｃは減圧ゲート線１２３に連結されている。
【０１２３】
第１及び第２スイッチング素子Ｑａ、Ｑｂは薄膜トランジスタなどの三端子素子であって、その制御端子は、ゲート線１２１と連結されており、入力端子は、データ線１７１と連結されており、出力端子は、第１及び第２液晶キャパシタＣｌｃａ、Ｃｌｃｂと第１及び第２ストレージキャパシタＣｓｔａ、Ｃｓｔｂにそれぞれ連結されている。
【０１２４】
第３スイッチング素子Ｑｃも薄膜トランジスタなどの三端子素子であって、制御端子は、減圧ゲート線１２３と連結されており、入力端子は、第２液晶キャパシタＣｌｃｂと連結されており、出力端子は、減圧キャパシタＣｓｔｄと連結されている。
【０１２５】
減圧キャパシタＣｓｔｄは、第３スイッチング素子Ｑｃの出力端子と共通電圧に連結されている。
【０１２６】
本実施形態による液晶表示装置の具体的な動作及び視認性改善方法について、図８を参照して説明する。
【０１２７】
このような画素ＰＸの動作について説明すれば、まず、ゲート線１２１にゲートオン電圧Ｖｏｎが印加されれば、これに連結された第１及び第２薄膜トランジスタＱａ、Ｑｂがターンオンされる。そのために、データ線１７１のデータ電圧は、ターンオンされた第１及び第２スイッチング素子Ｑａ、Ｑｂを通じて第１及び第２液晶キャパシタＣｌｃａ、Ｃｌｃｂに印加されて、第１及び第２液晶キャパシタＣｌｃａ、Ｃｌｃｂは、データ電圧Ｖｄと共通電圧Ｖｃｏｍの差で充電される。この時、減圧ゲート線１２３にはゲートオフ電圧Ｖｏｆｆが印加される。
【０１２８】
次に、ゲート線１２１にゲートオフ電圧Ｖｏｆｆが印加されることと同時に、減圧ゲート線１２３にゲートオン電圧Ｖｏｎが印加されれば、ゲート線１２１に連結された第１及び第２スイッチング素子Ｑａ、Ｑｂはターンオフされ、第３スイッチング素子Ｑｃはターンオンされる。そのために、第２スイッチング素子Ｑｂの出力端子と連結された第２液晶キャパシタＣｌｃｂの充電電圧が下降する。
【０１２９】
本実施形態による液晶表示装置がフレーム反転で駆動され、現在フレームでデータ線１７１に共通電圧Ｖｃｏｍを基準として極性が正（＋）のデータ電圧Ｖｄが印加される場合を例として説明すれば、直前フレームが終了した後に減圧キャパシタＣｓｔｄには負（−）の電荷が集まるようになる。現在フレームで第３スイッチング素子Ｑｃがターンオンされれば、第２液晶キャパシタＣｌｃｂの正（＋）の電荷が第３スイッチング素子Ｑｃを通じて減圧キャパシタＣｓｔｄに流れて、減圧キャパシタＣｓｔｄには正（＋）の電荷が集まるようになり、第２液晶キャパシタＣｌｃｂの充電電圧は下降するようになる。次のフレームでは、反対に、第２液晶キャパシタＣｌｃｂに負（−）の電荷が充電された状態で第３スイッチング素子Ｑｃがターンオンされることによって、第２液晶キャパシタＣｌｃｂの負（−）の電荷が減圧キャパシタＣｓｔｄに流れて、減圧キャパシタＣｓｔｄには負（−）の電荷が集まり、第２液晶キャパシタＣｌｃｂの電圧も下降するようになる。
【０１３０】
このように本実施形態によれば、データ電圧Ｖｄの極性に無関係に第２液晶キャパシタＣｌｃｂの充電電圧を第１液晶キャパシタＣｌｃａの充電電圧より常に低くしてもよい。従って、第１液晶キャパシタＣｌｃａ及び第２液晶キャパシタＣｌｃｂの充電電圧を異なるようにして、液晶表示装置の側面視認性が向上することができる。
【０１３１】
次に、図９及び図１０を参照して、図８に示した液晶表示装置の具体的な構造について説明する。
【０１３２】
図９及び図１０を参照すれば、本実施形態による液晶表示装置は、互いに対向する下部表示板１００と上部表示板２００、これら二つの表示板１００、２００の間に介在されている液晶層３を含む。表示板１００、２００の外側面には偏光子（ｐｏｌａｒｉｚｅｒ）（図示せず）を備えてもよい。
【０１３３】
まず、上部表示板２００について説明すれば、絶縁基板２１０の上に対向電極（ｏｐｐｏｓｉｎｇ  ｅｌｅｃｔｒｏｄｅ）２７０が形成されている。対向電極２７０は、ＩＴＯ、ＩＺＯなどの透明な導電体または金属などで形成してもよい。対向電極２７０の上には配向膜（図示せず）を形成してもよい。
【０１３４】
下部表示板１００と上部表示板２００の間に介在されている液晶層３は、誘電率異方性を有する液晶分子を含み、液晶分子は、電界がない状態でその長軸が二つの表示板１００、２００の表面に対して垂直になるように配向されてもよい。液晶層３の液晶分子は、長軸が第１副画素電極１９１ａ及び第２副画素電極１９１ｂの微細枝部１９９ａ、１９９ｂの長さ方向にほぼ平行するようにプレチルト（ｐｒｅｔｉｌｔ）を形成してもよい。このために、液晶層３は反応性メソゲン（ｒｅａｃｔｉｖｅ  ｍｅｓｏｇｅｎ）を含む配向補助剤をさらに含むことができる。
【０１３５】
次に、下部表示板１００について説明する。
【０１３６】
絶縁基板１１０の上に複数のゲート線１２１、複数の減圧ゲート線１２３、及び複数の維持電極線１２５を含む複数のゲート導電体が形成されている。
【０１３７】
ゲート線１２１及び減圧ゲート線１２３は、主に横方向に延びて、ゲート信号を伝達する。ゲート線１２１は、上下に突出した第１ゲート電極１２４ａ及び第２ゲート電極１２４ｂを含み、減圧ゲート線１２３は、上に突出した第３ゲート電極１２４ｃを含んでもよい。第１ゲート電極１２４ａ及び第２ゲート電極１２４ｂは互いに連結されて、一つの突出部を形成してもよい。
【０１３８】
維持電極線１２５も主に横方向に延びてもよく、ゲート線１２１のすぐ上に位置してもよく、共通電圧Ｖｃｏｍなどの定められた電圧を伝達する。維持電極線１２５は、維持拡張部１２６、ゲート線１２１にほぼ垂直に上に延びた一対の縦部１２８、及び一対の縦部１２８を連結する横部１２７を含んでもよいが、維持電極線１２５の構造がこれに限定されることではない。
【０１３９】
ゲート導電体１２１、１２３、１２５の上にはゲート絶縁膜（ｇａｔｅ  ｉｎｓｕｌａｔｉｎｇ  ｌａｙｅｒ）１４０が形成されている。
【０１４０】
ゲート絶縁膜１４０の上には非晶質または結晶質ケイ素などで形成できる複数の線状半導体１５１が形成されている。線状半導体１５１は、主に縦方向に延びてもよく、第１電極１２４ａ及び第２ゲート電極１２４ｂに向かって延びており、互いに連結されている第１半導体１５４ａと第２半導体１５４ｂ、及び第２半導体１５４ｂと連結された第３半導体１５４ｃを含んでもよい。
【０１４１】
線状半導体１５１の上には複数の線状オーミックコンタクト部材（ｏｈｍｉｃ  ｃｏｎｔａｃｔ）１６１が形成されており、第１半導体１５４ａの上にはオーミックコンタクト部材１６３ａ、１６５ａが形成されており、第２半導体１５４ｂ及び第３半導体１５４ｃの上にもそれぞれオーミックコンタクト部材が形成されてもよい。オーミックコンタクト部材１６５ａは線状オーミックコンタクト部材１６１から突出してもよい。しかし、半導体１５１の種類によってオーミックコンタクト部材１６１、１６５ａは省略してもよい。
【０１４２】
オーミックコンタクト部材１６１、１６５ａの上には複数のデータ線１７１、複数の第１ドレイン電極１７５ａ、複数の第２ドレイン電極１７５ｂ、及び複数の第３ドレイン電極１７５ｃを含むデータ導電体が形成されている。
【０１４３】
データ線１７１は、データ信号を伝達し、主に縦方向に延びてゲート線１２１及び減圧ゲート線１２３と交差してもよい。各データ線１７１は、第１ゲート電極１２４ａ及び第２ゲート電極１２４ｂに向かって延びた第１ソース電極１７３ａ及び第２ソース電極１７３ｂを含んでもよい。
【０１４４】
第１ドレイン電極１７５ａ、第２ドレイン電極１７５ｂ、及び第３ドレイン電極１７５ｃは、広い一端部と、棒状の他端部とを含んでもよい。第１ドレイン電極１７５ａ及び第２ドレイン電極１７５ｂの棒状の端部は、第１ソース電極１７３ａ及び第２ソース電極１７３ｂによって一部が取り囲まれている。第２ドレイン電極１７５ｂの広い一端部は、さらに延長されて「Ｕ」字状に曲がった第３ソース電極１７３ｃを形成してもよい。第３ドレイン電極１７５ｃの広い端部１７７ｃは、維持拡張部１２６と重なって減圧キャパシタＣｓｔｄを形成し、棒状の端部は第３ソース電極１７３ｃによって一部が取り囲まれている。
【０１４５】
第１／第２／第３ゲート電極１２４ａ／１２４ｂ／１２４ｃ、第１／第２／第３ソース電極１７３ａ／１７３ｂ／１７３ｃ、及び第１／第２／第３ドレイン電極１７５ａ／１７５ｂ／１７５ｃは、第１／第２／第３半導体１５４ａ／１５４ｂ／１５４ｃと共に一つの第１／第２／第３薄膜トランジスタ（ｔｈｉｎ  ｆｉｌｍ  ｔｒａｎｓｉｓｔｏｒ、ＴＦＴ）Ｑａ／Ｑｂ／Ｑｃを構成し、薄膜トランジスタのチャネル（ｃｈａｎｎｅｌ）は、各ソース電極１７３ａ／１７３ｂ／１７３ｃと各ドレイン電極１７５ａ／１７５ｂ／１７５ｃとの間の各半導体１５４ａ／１５４ｂ／１５４ｃに形成される。
【０１４６】
データ導電体１７１、１７５ａ、１７５ｂ、１７５ｃ及び露出した半導体１５４ａ、１５４ｂ、１５４ｃ部分の上には、窒化ケイ素または酸化ケイ素などの無機絶縁物で形成できる下部保護膜１８０ｐが形成されている。
【０１４７】
下部保護膜１８０の上にはカラーフィルタ２３０及び遮光部材２２０を配置してもよい。遮光部材２２０は、第１薄膜トランジスタＱａ、第２薄膜トランジスタＱｂ、及び第３薄膜トランジスタＱｃなどが位置する領域を覆う部分、及びデータ線１７１に沿って延びる部分を含んでもよい。遮光部材２２０は、第１薄膜トランジスタＱａ及び第２薄膜トランジスタＱｂの上に位置する開口部２２７、第１ドレイン電極１７５ａの広い端部の上に位置する開口部２２６ａ、第２ドレイン電極１７５ｂの広い端部の上に位置する開口部２２６ｂ、及び第３薄膜トランジスタＱｃの上に位置する開口部２２８を含んでもよい。これとは異なって、カラーフィルタ２３０及び遮光部材２２０のうちの少なくとも一つは上部表示板２００に配置してもよい。
【０１４８】
カラーフィルタ２３０及び遮光部材２２０の上には上部保護膜１８０ｑを形成してもよい。
【０１４９】
下部保護膜１８０ｐ及び上部保護膜１８０ｑには、第１ドレイン電極１７５ａ及び第２ドレイン電極１７５ｂをそれぞれ露出する複数のコンタクトホール１８５ａ、１８５ｂが形成されている。コンタクトホール１８５ａ、１８５ｂは、遮光部材２２０の開口部２２６ａ、２２６ｂの中に位置してもよい。
【０１５０】
上部保護膜１８０ｑの上には、第１副画素電極１９１ａ及び第２副画素電極１９１ｂを含む画素電極が形成されている。
【０１５１】
第１副画素電極１９１ａ及び第２副画素電極１９１ｂは列方向に隣接してもよく、第２副画素電極１９１ｂの高さは第１副画素電極１９１ａの高さより高くてもよい。
【０１５２】
第１副画素電極１９１ａの全体的な形状は四角形であり、外郭を定義する外郭部、その内部の横幹部及び縦幹部を含む十字幹部１９５ａ、そして十字幹部１９５ａから外側に斜めに延びる複数の微細枝部１９９ａを含む。隣接する微細枝部１９９ａの間には微細スリット９１ａが位置する。
【０１５３】
第２副画素電極１９１ｂの全体的な形状も四角形であり、外郭を定義する外郭部、その内部の横幹部及び縦幹部を含む十字幹部１９５ｂ、そして十字幹部１９５ｂから外側に斜めに延びる複数の微細枝部１９９ｂを含む。隣接する微細枝部１９９ｂの間には微細スリット９１ｂが位置する。
【０１５４】
第１副画素電極１９１ａ及び第２副画素電極１９１ｂそれぞれは、それぞれの十字幹部１９５ａ１９５ｂによって四つの副領域に分けられる。図９を参照すれば、第２副画素電極１９１ｂの各副領域は、微細枝部１９９ｂの間の間隔が位置によって異なる領域を含んでもよいが、これとは異なって微細枝部１９９ｂの間の間隔は一定であってもよい。また、第１副画素電極１９１ａ及び第２副画素電極１９１ｂの具体的な構造は、図９に示した例に限定されずに、多様に変更してもよく、各部分の大きさも液晶層３のセルギャップ、種類及び特性などの設計要素によって変化してもよい。
【０１５５】
第１副画素電極１９１ａは、コンタクトホール１８５ａを通じて第１ドレイン電極１７５ａからデータ電圧の印加を受け、第２副画素電極１９１ｂは、コンタクトホール１８５ｂを通じて第２ドレイン電極１７５ｂからデータ電圧の印加を受けてもよい。
【０１５６】
第１副画素電極１９１ａ及び第２副画素電極１９１ｂ、そして上部保護膜１８０ｑの上には、配向膜（図示せず）を形成してもよい。
【０１５７】
第１副画素電極１９１ａ及び第２副画素電極１９１ｂは、上部表示板２００の対向電極２７０と共に電界を生成することによって、二つの電極１９１、２７０間の液晶層３の液晶分子の方向を決定する。液晶分子が傾いた程度によって液晶層３に入射した光の偏光の変化程度が変化し、このような偏光の変化は偏光子によって透過率の変化に現れ、これを通じて液晶表示装置は映像を表示する。
【０１５８】
一方、第１副画素電極１９１ａ及び第２副画素電極１９１ｂが含む微細枝部１９９ａ、１９９ｂまたは微細スリット９１ａ、９１ｂの辺は、電界を歪曲して微細枝部１９９ａ、１９９ｂまたは微細スリット９１ａ、９１ｂの辺に垂直な水平成分を形成し、液晶分子の傾斜方向は水平成分によって決定される方向に決定される。従って、液晶分子が、最初は微細枝部１９９ａ、１９９ｂまたは微細スリット９１ａ、９１ｂの辺に垂直な方向に傾こうとするが、隣接する微細枝部１９９ａ、１９９ｂまたは微細スリット９１ａ、９１ｂの辺による電界の水平成分の方向が反対であり、微細枝部１９９ａ、１９９ｂまたは微細スリット９１ａ、９１ｂの幅が狭いため、互いに反対方向に傾こうとする液晶分子が共に微細枝部１９９ａ、１９９ｂまたは微細スリット９１ａ、９１ｂの長さ方向に平行な方向に傾くようになる。
【０１５９】
本発明の実施形態において、第１副画素電極１９１ａ及び第２副画素電極１９１ｂは、微細枝部１９９ａ、１９９ａの長さ方向が互いに異なる四つの副領域を含むので、液晶層３の液晶分子が傾く方向も総四つの方向になり、液晶表示装置の基準視野角が大きくなることができる。
【０１６０】
第１副画素電極１９１ａと対向電極２７０は、その間の液晶層３と共に第１液晶キャパシタＣｌｃａを形成し、第２副画素電極１９１ｂと対向電極２７０は、その間の液晶層３と共に第２液晶キャパシタＣｌｃｂを形成して、第１薄膜トランジスタＱａ及び第２薄膜トランジスタＱｂがターンオフされた後にも、印加された電圧を維持する。
【０１６１】
第１副画素電極１９１ａ及び第２副画素電極１９１ｂは、維持電極線１２５と重なって第１ストレージキャパシタＣｓｔａ及び第２ストレージキャパシタＣｓｔｂを形成してもよい。
【０１６２】
次に、図１１乃至図１３を参照して、本発明の一実施形態による表示装置について説明する。上述した実施形態と同一の構成要素に対しては同一の図面符号を付け、同一の説明は省略する。
【０１６３】
図１１は、本発明の一実施形態による表示装置の一画素の等価回路図であり、図１２Ａ及び図１２Ｂは、それぞれ本発明の一実施形態による表示装置の一画素の平面図であり、図１３は、図１２Ａの表示装置のＸＩＩＩ−ＸＩＩＩ線に沿った断面図である。
【０１６４】
まず、図１１を参照すれば、本発明の一実施形態による表示装置は液晶表示装置であって、ゲート信号を伝達するゲート線１２１、データ信号を伝達するデータ線１７１、基準電圧を伝達する基準電圧線１７８を含む信号線と、これに連結された画素ＰＸを含む。
【０１６５】
各画素ＰＸは第１副画素ＰＸａ及び第２副画素ＰＸｂを含む。第１副画素ＰＸａは、第１スイッチング素子Ｑａ及び第１液晶キャパシタＣｌｃａを含み、第２副画素ＰＸｂは、第２及び第３スイッチング素子Ｑａ、Ｑｂ、Ｑｃ、そして第２液晶キャパシタＣｌｃａ、Ｃｌｃｂを含む。
【０１６６】
第１スイッチング素子Ｑａ及び第２スイッチング素子Ｑｂは、それぞれゲート線１２１及びデータ線１７１に連結されており、第３スイッチング素子Ｑｃは、第２スイッチング素子Ｑｂの出力端子及び基準電圧線１７８に連結されている。
【０１６７】
第１スイッチング素子Ｑａ及び第２スイッチング素子Ｑｂは薄膜トランジスタなどの三端子素子であって、その制御端子は、ゲート線１２１に連結されており、入力端子は、データ線１７１と連結されており、第１スイッチング素子Ｑａの出力端子は、第１液晶キャパシタＣｌｃａに連結されており、第２スイッチング素子Ｑｂの出力端子は、第２液晶キャパシタＣｌｃｂ及び第３スイッチング素子Ｑｃの入力端子に連結されている。
【０１６８】
第３スイッチング素子Ｑｃも薄膜トランジスタなどの三端子素子であって、制御端子は、ゲート線１２１と連結されており、入力端子は、第２液晶キャパシタＣｌｃｂと連結されており、出力端子は、基準電圧線１７８に連結されている。
【０１６９】
図１１に示した画素ＰＸの動作について説明すれば、まず、ゲート線１２１にゲートオン電圧Ｖｏｎが印加されれば、これに連結された第１スイッチング素子Ｑａ、第２スイッチング素子Ｑｂ、及び第３スイッチング素子Ｑｃがターンオンされる。そのためにデータ線１７１に印加されたデータ電圧は、ターンオンされた第１スイッチング素子Ｑａ及び第２スイッチング素子Ｑｂを通じてそれぞれ第１液晶キャパシタＣｌｃａ及び第２液晶キャパシタＣｌｃｂに印加されて、第１液晶キャパシタＣｌｃａ及び第２液晶キャパシタＣｌｃｂはデータ電圧Ｖｄ及び共通電圧Ｖｃｏｍの差ほど充電される。この時、第１液晶キャパシタＣｌｃｂ及び第２液晶キャパシタＣｌｃｂには第１スイッチング素子Ｑａ及び第２スイッチング素子Ｑｂを通じて同一のデータ電圧Ｖｄが伝達されるが、第２液晶キャパシタＣｌｃｂの充電電圧は第３スイッチング素子Ｑｃを通じて分圧される。従って、第２液晶キャパシタＣｌｃｂの充電電圧は第１液晶キャパシタＣｌｃａの充電電圧より小さくなるので、二つの副画素ＰＸａ、Ｐｘｂの輝度が変化することがある。従って、第１液晶キャパシタＣｌｃａに充電される電圧と第２液晶キャパシタＣｌｃｂの充電される電圧を適切に調節すれば、側面から見る映像を正面から見る映像に最大限近くすることができ、これによって側面視認性を改善することができる。
【０１７０】
以下、図１２Ａ及び図１３を参照して、図１１で示した実施形態による液晶表示装置の具体的な構造について説明する。
【０１７１】
図１２Ａ及び図１３を参照すれば、本実施形態による液晶表示装置は、互いに対向する下部表示板１００と上部表示板２００、これら二つの表示板１００、２００の間に介在されている液晶層３、及び表示板１００、２００外側面に付着している一対の偏光子（図示せず）を含んでもよい。
【０１７２】
まず、下部表示板１００について説明すれば、絶縁基板１１０の上にゲート線１２１を配置する。ゲート線１２１は、第１ゲート電極１２４ａ、第２ゲート電極１２４ｂ、及び第３ゲート電極１２４ｃを含む。
【０１７３】
ゲート線１２１の上にゲート絶縁膜１４０を配置し、その上には第１半導体１５４ａ、第２半導体１５４ｂ、及び第３半導体１５４ｃが位置する。
【０１７４】
第１半導体１５４ａ、第２半導体１５４ｂ、及び第３半導体１５４ｃの上には、複数のオーミックコンタクト部材１６３ａ、１６５ａ、１６３ｂ、１６５ｂ、１６３ｃ、１６５ｃを配置してもよい。
【０１７５】
オーミックコンタクト部材１６３ａ、１６５ａ、１６３ｂ、１６５ｂ、１６３ｃ、１６５ｃ及びゲート絶縁膜１４０の上には、第１ソース電極１７３ａ及び第２ソース電極１７３ｂを含む複数のデータ線１７１、第１ドレイン電極１７５ａ、第２ドレイン電極１７５ｂ、第３ソース電極１７３ａ、及び第３ドレイン電極１７５ｃ、そして基準電圧線１７８を含むデータ導電体１７１、１７３ｃ、１７５ａ、１７５ｂ、１７５ｃ、１７８を配置する。
【０１７６】
基準電圧線１７８は、データ線１７１とほぼ平行な二つの幹部１７８ａと、二つの幹部１７８ａを互いに連結する連結部１７８ｂとを含んでもよい。基準電圧線１７８の二つの幹部１７８ａを連結部１７８ｂで連結することによって、基準電圧線１７８に流れる信号の遅延を防止することができる。しかし、基準電圧線１７８の形状はこれに限定されず、多様に変更してもよい。
【０１７７】
第１ゲート電極１２４ａ、第１ソース電極１７３ａ、及び第１ドレイン電極１７５ａは、第１半導体１５４ａと共に第１薄膜トランジスタＱａを形成し、第２ゲート電極１２４ｂ、第２ソース電極１７３ｂ、及び第２ドレイン電極１７５ｂは、第２半導体１５４ｂと共に第２薄膜トランジスタＱｂを形成し、第３ゲート電極１２４ｃ、第３ソース電極１７３ｃ、及び第３ドレイン電極１７５ｃは、第３半導体１５４ｃと共に第３薄膜トランジスタＱｃを形成してもよい。
【０１７８】
データ導電体１７１、１７３ｃ、１７５ａ、１７５ｂ、１７５ｃ、１７７及び露出した半導体１５４ａ、１５４ｂ、１５４ｃ部分の上には、保護膜１８０を配置してもよい。保護膜１８０は、第１ドレイン電極１７５ａ及び第２ドレイン電極１７５ｂを露出する複数のコンタクトホール１８５ａ、１８５ｂを含んでもよい。
【０１７９】
保護膜１８０の上には、第１副画素電極１９１ａ及び第２副画素電極１９１ａ、１９１ｂを含む画素電極１９１を配置する。
【０１８０】
画素電極１９１は、ゲート線１２１に平行な第１辺と、データ線１７１と平行な第２辺とを含んでもよい。ゲート線１２１と平行な第１辺はデータ線１７１と平行な第２辺より長くてもよい。この場合、表示板３００に配置するデータ線１７１の数を減らすことができるので、データ駆動部５００が含むデータ駆動回路用チップの個数を減らすことができる。
【０１８１】
第１副画素電極１９１ａと第２副画素電極１９１ｂは横方向に隣接してもよい。第１副画素電極１９１ａ及び第２副画素電極１９１ｂそれぞれは、十字幹部１９５及び複数の微細枝部１９９を含んでもよい。
【０１８２】
第１副画素電極１９１ａ及び第２副画素電極１９１ｂは、コンタクトホール１８５ａ、１８５ｂを通じてそれぞれ第１ドレイン電極１７５ａ及び第２ドレイン電極１７５ｂと物理的、電気的に接続されており、第１ドレイン電極１７５ａ及び第２ドレイン電極１７５ｂからデータ電圧の印加を受けてもよい。この時、第２ドレイン電極１７５ｂに印加されたデータ電圧のうちの一部は第３ソース電極１７３ｃを通じて分圧されて、第２副画素電極１９１ｂに印加される電圧の大きさは、第１副画素電極１９１ａに印加される電圧の大きさより小さくてもよい。
【０１８３】
第２副画素電極１９１ｂの面積は、第１副画素電極１９１ａの面積より同一であるか、または大きくてもよい。
【０１８４】
一方、基準電圧線１７８に印加される電圧は、共通電圧Ｖｃｏｍより大きくてもよく、その差の絶対値は、約１Ｖ乃至約４Ｖであってもよい。
【０１８５】
次に、上部表示板２００について説明すれば、絶縁基板２１０の上に遮光部材２２０及びカラーフィルタ２３０を配置してもよい。遮光部材２２０とカラーフィルタ２３０のうちの少なくとも一つは下部表示板１００に配置してもよい。
【０１８６】
カラーフィルタ２３０及び遮光部材２２０の上には、蓋膜（ｏｖｅｒｃｏａｔ）２５０を配置してもよいが、蓋膜２５０は省略してもよい。
【０１８７】
蓋膜２５０の上には対向電極２７０が形成されている。
【０１８８】
表示板１００、２００の両側面には配向膜が形成されており、これらは垂直配向膜であてもよい。
【０１８９】
液晶分子３１を含む液晶層３及び画素ＰＸの映像表示方法は、上述した実施形態と類似しているので、ここで詳しい説明は省略する。
【０１９０】
図１２Ｂを参照すれば、本発明の一実施形態による表示装置は、上述した図１２Ａに示した実施形態と大部分同一であるが、ゲート線１２１は横方向に延び、データ線１７１は縦方向に延びて、ゲート線１２１と交差してもよい。
【０１９１】
また、画素電極１９１が、辺のうちのゲート線１２１にほぼ平行な辺は、データ線１７１にほぼ平行な辺より短くてもよい。第１副画素電極１９１ａと第２副画素電極１９１ｂは縦方向に隣接してもよい。
【０１９２】
次に、図１４を参照して、本発明の一実施形態による表示装置について説明する。
【０１９３】
図１４を参照すれば、本発明の一実施形態による表示装置は、第１データ線１７１ａ及び第２データ線１７１ｂとゲート線１２１を含む信号線と、これに連結された画素ＰＸを含む。
【０１９４】
各画素ＰＸは第１副画素ＰＸａ及び第２副画素ＰＸｂを含む。第１副画素ＰＸａは、第１スイッチング素子Ｑａ、第１液晶キャパシタＣｌｃａ、及び第１ストレージキャパシタＣｓｔａを含み、第２副画素ＰＸｂは、第２スイッチング素子Ｑｂ、第２液晶キャパシタＣｌｃｂ、及び第２ストレージキャパシタＣｓｔｂを含む。
【０１９５】
第１スイッチング素子Ｑａは、ゲート線１２１に連結された制御端子及び第１データ線１７１ａに連結された入力端子を含む。第１スイッチング素子Ｑａの出力端子は、第１液晶キャパシタＣｌｃａ及び第１ストレージキャパシタＣｓｔａと連結されている。
【０１９６】
第２スイッチング素子Ｑｂは、ゲート線１２１に連結された制御端子及び第２データ線１７１ｂに連結された入力端子を含む。第２スイッチング素子Ｑｂの出力端子は、第２液晶キャパシタＣｌｃｂ及び第２ストレージキャパシタＣｓｔｂと連結されている。
【０１９７】
第１液晶キャパシタＣｌｃａ及び第２液晶キャパシタＣｌｃｂは、互いに異なるデータ線１７１ａ、１７１ｂに連結された第１スイッチング素子Ｑａ及び第２スイッチング素子Ｑｂを通じて、一つの入力映像信号ＩＤＡＴに対する互いに異なるデータ電圧Ｖｄがそれぞれ印加されてもよい。
【０１９８】
次に、図１５を参照すれば、本実施形態による表示装置は、データ線１７１と第１ート線１２１ａ及び第２ゲート線１２１ｂを含む信号線と、これに連結された画素ＰＸを含む。各画素ＰＸは第１副画素ＰＸａ及び第２副画素ＰＸｂを含む。
【０１９９】
第１副画素ＰＸａが含む第１スイッチング素子Ｑａは、第１ゲート線１２１ａに連結された制御端子及びデータ線１７１に連結された入力端子を含む。第１スイッチング素子Ｑａの出力端子は、第１液晶キャパシタＣｌｃａ及び第１ストレージキャパシタＣｓｔａと連結されている。
【０２００】
第２スイッチング素子Ｑｂは、第２ゲート線１２１ｂに連結された制御端子及びデータ線１７１に連結された入力端子を含む。第２スイッチング素子Ｑｂの出力端子は、第２液晶キャパシタＣｌｃｂ及び第２ストレージキャパシタＣｓｔｂと連結されている。
【０２０１】
第１液晶キャパシタＣｌｃａ及び第２液晶キャパシタＣｌｃｂは、互いに異なるゲート線１２１ａ、１２１ｂに連結されている第１スイッチング素子Ｑａ及び第２スイッチング素子Ｑｂを通じて、データ線１７１が伝達する一つの入力映像信号ＩＤＡＴに対する互いに異なるデータ電圧Ｖｄを、異なる時間に印加を受けてもよい。
【０２０２】
次に、図１６を参照すれば、本実施形態による表示装置は、データ線１７１とゲート線１２１を含む信号線と、これに連結された画素ＰＸを含む。各画素ＰＸは、第１副画素ＰＸａ及び第２副画素ＰＸｂと、二つの副画素ＰＸａ、ＰＸｂの間に連結されている結合キャパシタＣｃｐを含んでもよい。
【０２０３】
第１副画素ＰＸａは、ゲート線１２１及びデータ線１７１に連結されているスイッチング素子Ｑと、これに連結された第１液晶キャパシタＣｌｃａ及び第１ストレージキャパシタＣｓｔａを含み、第２副画素ＰＸｂは、結合キャパシタＣｃｐと連結されている第２液晶キャパシタＣｌｃｂを含む。
【０２０４】
スイッチング素子Ｑの制御端子は、ゲート線１２１と連結されており、入力端子は、データ線１７１と連結されており、出力端子は、第１液晶キャパシタＣｌｃａ、第１ストレージキャパシタＣｓｔａ、及び結合キャパシタＣｃｐと連結されている。スイッチング素子Ｑは、ゲート線１２１からのゲート信号によってデータ線１７１のデータ電圧Ｖｄを第１液晶キャパシタＣｌｃａ及び結合キャパシタＣｃｐに伝達し、結合キャパシタＣｃｐは、この電圧の大きさを変えて第２液晶キャパシタＣｌｃｂに伝達してもよい。第１液晶キャパシタＣｌｃａに充電された電圧Ｖａと、第２液晶キャパシタＣｌｃｂに充電された電圧Ｖｂとは、次のような関係を有してもよい。
【０２０５】
Ｖｂ＝Ｖａ×[Ｃｃｐ／（Ｃｃｐ＋Ｃｌｃｂ）]
ここで、Ｃｃｐは、結合キャパシタＣｃｐの静電容量、Ｃｌｃｂは、第２液晶キャパシタＣｌｃｂの静電容量である。従って、第２液晶キャパシタＣｌｃｂに充電された電圧Ｖｂは、第１液晶キャパシタＣｌｃａに充電された電圧Ｖａに比べて常に小さくてもよい。結合キャパシタＣｃｐの静電容量を適切に調節すれば、第１液晶キャパシタＣｌｃａの充電電圧Ｖａと第２液晶キャパシタＣｌｃｂ充電電圧Ｖｂの比率を調節して、側面視認性を向上させることができる。
【０２０６】
このように、本発明の一実施形態による表示装置の一画素ＰＸの第１副画素ＰＸａ及び第２副画素ＰＸｂは、種々の方式によって互いに異なるガンマ曲線による映像を表示することができ、同一の輝度の映像を表示することも可能である。
【０２０７】
次に、図１７乃至図２２Ｂを参照して、本発明の一実施形態による表示装置及びその駆動方法について説明する。
【０２０８】
図１７は、本発明の一実施形態による表示装置のガンマ曲線を示すグラフであり、図１８Ａ、図１８Ｂ、図１９Ａ、図１９Ｂ、図２０Ａ、図２０Ｂ、図２１Ａ、図２１Ｂ、図２１Ｃ、図２１Ｄ、図２２Ａ、及び図２２Ｂは、それぞれ本発明の一実施形態による表示装置の一画素に適用されるガンマ曲線による輝度をフレーム順に示した図面である。
【０２０９】
図１７を参照すれば、本発明の一実施形態による表示装置のメモリ６５０またはデータ駆動部５００が含むガンマデータは、互いに異なる少なくとも三つのガンマ曲線に対するガンマデータを含んでもよい。具体的に、本発明の一実施形態によるガンマデータは、第１ガンマ曲線ＧＨ、第２ガンマ曲線ＧＬ、及び第３ガンマ曲線ＧＭに対するガンマデータを含んでもよい。ここで、第１ガンマ曲線ＧＨによる映像の輝度は、第３ガンマ曲線ＧＭによる映像の輝度より高いか、または同一であってもよく、第３ガンマ曲線ＧＭによる映像の輝度は、第２ガンマ曲線ＧＬによる映像の輝度より高いか、または同一であってもよい。
【０２１０】
本発明の一実施形態において、一画素ＰＸは、上述した図２に示した実施形態の通り、一つのデータ電圧Ｖｄの印加を受けてもよく、図７乃至図１６に示した種々の実施形態による第１副画素ＰＸａ及び第２副画素ＰＸｂを含んでもよい。一画素ＰＸまたは第１及び第２副画素ＰＸａは、それぞれ一つの入力映像信号ＩＤＡＴに対する連続した二つ以上のフレーム、つまり、一つのフレームセットの各フレーム内に第１ガンマ曲線ＧＨ、第２ガンマ曲線ＧＬ、及び第３ガンマ曲線ＧＭのうちの一つによるデータ電圧Ｖｄの印加を受けて、映像を表示してもよい。この時、画素ＰＸまたは第１副画素ＰＸａ及び第２副画素ＰＸｂによって一つのフレームセット内に表示される映像は、第１ガンマ曲線ＧＨ及び第２ガンマ曲線ＧＬによる映像を必ず含んでもよい。
【０２１１】
第１乃至第３ガンマ曲線ＧＨ、ＧＬ、ＧＭは、側面視認性を向上させるために、第１副画素ＰＸａ及び第２副画素ＰＸｂによって一つのフレームセット内に表示される映像の合成ガンマ曲線が、表示装置に最も適合するように定められた正面ガンマ曲線Ｇｆと一致するようにし、側面での合成ガンマ曲線を正面ガンマ曲線Ｇｆに最大限近くするように調整してもよい。この時、合成ガンマ曲線が、最大限変曲点を有せずに、正面ガンマ曲線Ｇｆに近くなるように、第１乃至第３ガンマ曲線ＧＨ、ＧＬ、ＧＭを選択して表示品質を高めることができる。
【０２１２】
例えば、第１ガンマ曲線ＧＨは、最低階調からほぼ中間階調付近までは次第に輝度が増加し、ほぼ中間階調付近以上では表示可能な最高輝度を示すことができる。第２ガンマ曲線ＧＬは、これとは反対に、最低階調からほぼ中間階調付近までは最低輝度を示し、ほぼ中間階調付近以上では次第に輝度が増加して、最高階調では最高輝度に到達することができる。第３ガンマ曲線ＧＭは、最低階調からほぼ中間階調付近までは最低輝度を示し、ほぼ中間階調付近で急激に輝度が上昇して、それ以上の階調では最高輝度を示すことができる。
【０２１３】
本発明の一実施形態によれば、空間分割駆動及び時分割駆動が共に適用されて、一つのフレーム内に二つの副画素ＰＸａ、ＰＸｂを通じて一つの入力映像信号ＩＤＡＴに対する互いに異なるガンマ曲線による映像を表示することができ、また、連続したフレームで各副画素ＰＸａ、ＰＸｂが、互いに異なるガンマ曲線による映像を表示することができる。従って、二つの副画素ＰＸａ、ＰＸｂに対して、二つ以上の連続したフレームを含むフレームセット内の側面での合成ガンマ曲線を正面ガンマ曲線Ｇｆに最大限近くして、側面視認性を向上させることができる。
【０２１４】
また、一画素ＰＸが分割されない場合にも、一つの入力映像信号ＩＤＡＴに対して互いに異なる三つ以上のガンマ曲線による映像を連続したフレームで表示することができるので、二つ以上の連続したフレームを含む一つのフレームセット内の側面での合成ガンマ曲線を正面ガンマ曲線Ｇｆに最大限近くするように、ガンマ曲線を多様に調節して側面視認性を向上させることができる。
【０２１５】
以下、図１７に示された第１乃至第３ガンマ曲線ＧＨ、ＧＬ、ＧＭ、または図３に示された第１及び第２ガンマ曲線ＧＨ、ＧＬを利用して、側面視認性を向上させる具体的な駆動方法の例について、図１８Ａ乃至図２２ＢＢ参照して具体的に説明する。
【０２１６】
本発明の一実施形態による表示装置の画素ＰＸは、連続した二つ以上のフレームを一つのフレームセットにして駆動されてもよい。例えば、連続した二つ以上のフレーム１Ｆ、２Ｆでは入力映像信号ＩＤＡＴ１に対する映像を表示し、次いで連続した二つ以上のフレーム３Ｆ、４Ｆでは次の入力映像信号ＩＤＡＴ２に対する映像を表示してもよい。図１８Ａ乃至図２２Ｂに示した実施形態は、一つのフレームセットが二つのフレームを含む例を示しているが、一つのフレームセットが含むフレーム数は三つ以上であってもよい。
【０２１７】
まず、図１８Ａ及び図１８Ｂを参照すれば、一つのフレームセットが含む二つのフレームのうちの一つにおいて、第１副画素ＰＸａは、第１ガンマ曲線ＧＨによる第１映像Ｈを表示し、第２副画素ＰＸｂは、第３ガンマ曲線ＧＭによる第３映像Ｍを表示してもよく、それ以外の一つのフレームにおいて、第１副画素ＰＸａは、第２ガンマ曲線ＧＬによる第２映像Ｌを表示し、第２副画素ＰＸｂも第２映像Ｌを表示してもよい。本実施形態によれば、空間分割駆動及び時分割駆動が共に適用されて、一つのフレーム内に二つの副画素ＰＸａ、ＰＸｂを通じて一つの入力映像信号ＩＤＡＴに対する互いに異なるガンマ曲線による映像を表示してもよく、また、連続したフレームで各部画素ＰＸａ、ＰＸｂが互いに異なるガンマ曲線による映像を表示してもよい。従って、二つの副画素ＰＸａ、ＰＸｂに対して、二つ以上の連続したフレームを含むフレームセット内の側面での合成ガンマ曲線を正面ガンマ曲線Ｇｆに最大限近くして、側面視認性を向上させることができる。
【０２１８】
特に、図１８Ｂに示したように、入力映像信号ＩＤＡＴ１に対するフレームセットの第１フレームで第１副画素ＰＸａが第１映像Ｈを表示し、第２副画素ＰＸｂが第３映像Ｍを表示し、第２フレームで第１副画素ＰＸａ及び第２副画素ＰＸｂが第２映像Ｌを表示した場合、次の入力映像信号ＩＤＡＴ２に対するフレームセットにおいては、第１フレームで第１副画素ＰＸａ及び第２副画素ＰＸｂが第２映像Ｌを表示し、第２フレームで第１副画素ＰＸａが第１映像Ｈを表示し、第２副画素ＰＸｂが第３映像Ｍを表示する。つまり、隣接する二つのフレームセットで画素ＰＸが表示する映像の順序を反対に変えれば、輝度の低い第２映像Ｌが連続したフレームで表示され、輝度の高い第１映像Ｈも連続したフレームで表示できるので、上述した通り液晶分子の遅い応答速度を補償することができて、側面視認性がさらに向上することができる。
【０２１９】
次に、図１９Ａ及び図１９Ｂを参照すれば、一つのフレームセットが含む二つのフレームのうちの一つにおいて、第１副画素ＰＸａは第１映像Ｈを表示し、第２副画素ＰＸｂは第２映像Ｌを表示してもよく、それ以外の一つのフレームにおいて、第１副画素ＰＸａは第３映像Ｍを表示し、第２副画素ＰＸｂは第２映像Ｌを表示してもよい。本実施形態でも上述した図１８Ａ及び図１８Ｂに示した実施形態のように、側面視認性を向上させることができる。特に、図１９Ｂに示したように、隣接する二つのフレームセットで画素ＰＸが表示する映像の順序を、図１９Ａと反対に変えれば、第２副画素ＰＸｂに対して輝度の低い第２映像Ｌが連続したフレームで表示され、第１副画素ＰＸａに対しても輝度が相対的に低い第３映像Ｍが連続したフレームで表示され、輝度の高い第１映像Ｈも連続したフレームで表示できるので、液晶分子の遅い応答速度を補償できて、側面視認性がさらに向上することができる。
【０２２０】
次に、図２０Ａ及び図２０Ｂを参照すれば、一つのフレームセットが含む二つのフレームのうちの一つにおいて、第１副画素ＰＸａは第２映像Ｌを表示し、第２副画素ＰＸｂは第１映像Ｈを表示してもよく、それ以外の一つのフレームにおいて、第１副画素ＰＸａは第３映像Ｍを表示し、第２副画素ＰＸｂは第２映像Ｌを表示してもよい。本実施形態でも上述した図１８Ａ及び図１８Ｂに示した実施形態のように、側面視認性を向上させることができる。特に、図２０Ｂに示したように、隣接する二つのフレームセットで画素ＰＸが表示する映像の順序を反対に変えれば、第２副画素ＰＸｂに対して輝度の低い第２映像Ｌが連続したフレームで表示され、輝度の高い第１映像Ｈも連続したフレームで表示され、第１副画素ＰＸａに対しても輝度の低い第２映像Ｌが連続したフレームで表示されるので、液晶分子の遅い応答速度を補償できて、側面視認性がさらに向上することができる。
【０２２１】
次の図２１Ａ及び図２１Ｂを参照すれば、一つのフレームセットが含む二つのフレームのうちの一つにおいて、第１副画素ＰＸａは第１映像Ｈを表示し、第２副画素ＰＸｂは第３映像Ｍを表示してもよく、それ以外の一つのフレームにおいて、第１副画素ＰＸａは第３映像Ｍを表示し、第２副画素ＰＸｂは第２映像Ｌを表示してもよい。これとは異なって、図２１Ｃ及び図２１Ｄに示したように、一つのフレームセットが含む二つのフレームのうちの一つにおいて、第１副画素ＰＸａは第１映像Ｈを表示し、第２副画素ＰＸｂは第３映像Ｍを表示してもよく、それ以外の一つのフレームにおいて、第１副画素ＰＸａは第２映像Ｌを表示し、第２副画素ＰＸｂは第３映像Ｍを表示してもよい。本実施形態でも上述した図１８Ａ及び図１８Ｂに示した実施形態のように、側面視認性を向上させることができる。特に、図２１Ｂ及び図２１Ｄに示したように、隣接する二つのフレームセットで画素ＰＸが表示する映像の順序を反対に変えれば、第２副画素ＰＸｂに対して輝度の低い第２映像Ｌが連続したフレームで表示され、第１副画素ＰＸａに対しても輝度が相対的に低い第３映像Ｍが連続したフレームで表示され、輝度の高い第１映像Ｈも連続したフレームで表示されるので、液晶分子の遅い応答速度を補償できて、側面視認性がさらに向上することができる。
【０２２２】
次に、図２２Ａ及び図２２Ｂを参照すれば、一つのフレームセットが含む二つのフレームのうちの一つにおいて、第１副画素ＰＸａは第３映像Ｍを表示し、第２副画素ＰＸｂは第１映像Ｈを表示してもよく、それ以外の一つのフレームにおいて、第１副画素ＰＸａは第３映像Ｍを表示し、第２副画素ＰＸｂは第２映像Ｌを表示してもよい。本実施形態でも上述した図１８Ａ及び図１８Ｂに示した実施形態のように、側面視認性を向上させることができる。特に、図２２Ｂに示したように、隣接する二つのフレームセットで画素ＰＸが表示する映像の順序を反対に変えれば、第２副画素ＰＸｂに対して輝度の低い第２映像Ｌが連続したフレームで表示され、輝度の高い第１映像Ｈも連続したフレームで表示されるので、液晶分子の遅い応答速度を補償できて、側面視認性がさらに向上することができる。
【０２２３】
その他にも、二つの副画素ＰＸａ、ＰＸｂに対して一つのフレームセットで表示される映像が従うガンマ曲線は、上述した第１乃至第３ガンマ曲線ＧＨ、ＧＬ、ＧＭの中で多様に選択してもよい。また、図１８Ａ乃至図２２Ｂに示したこととは異なって、一つのフレームセットは三つ以上の連続したフレームを含んでもよく、この場合、第１乃至第３ガンマ曲線ＧＨ、ＧＬ、ＧＭに従う映像を多様に配置することができる。
【０２２４】
また、空間分割駆動において、図３に示された第１ガンマ曲線ＧＨ及び第２ガンマ曲線ＧＬを利用する場合には、図１８Ａ乃至図２２Ｂに示された第３映像Ｍは、図３に示された第２ガンマ曲線ＧＬによる第２映像Ｌに変化して駆動されてもよい。
【０２２５】
次に、図２３乃至図３０Ｂを参照して、本発明の一実施形態による表示装置及びその駆動方法について説明する。
【０２２６】
図２３は、本発明の一実施形態による表示装置のガンマ曲線を示すグラフであり、図２４Ａ、図２４Ｂ、図２４Ｃ、図２４Ｄ、図２５Ａ、図２５Ｂ、図２６Ａ、図２６Ｂ、図２７Ａ、図２７Ｂ、図２８Ａ、図２８Ｂ、図２９Ａ、図２９Ｂ、図３０Ａ、及び図３０Ｂは、それぞれ本発明の一実施形態による表示装置の一画素に適用されるガンマ曲線による輝度をフレーム順に示した図面である。
【０２２７】
図２３を参照すれば、本発明の一実施形態による表示装置のメモリ６５０またはデータ駆動部５００が含むガンマデータは、互いに異なる四つのガンマ曲線に対するガンマデータを含んでもよい。具体的に、本発明の一実施形態によるガンマデータは、第１ガンマ曲線ＧＨ、第２ガンマ曲線ＧＬ、第３ガンマ曲線ＧＭ１、及び第４ガンマ曲線ＧＭ２に対するガンマデータを含んでもよく、五つ以上のガンマ曲線に対するガンマデータを含んでもよい。ここで、第１ガンマ曲線ＧＨによる映像の輝度は、第３ガンマ曲線ＧＭ１による映像の輝度より高いか、または同一であってもよく、第３ガンマ曲線ＧＭ１による映像の輝度は、第４ガンマ曲線ＧＭ２による映像の輝度より高いか、または同一であってもよく、第４ガンマ曲線ＧＭ２による映像の輝度は、第２ガンマ曲線ＧＬによる映像の輝度より高いか、または同一であってもよい。
【０２２８】
本実施形態でも、一画素ＰＸは、上述した図７乃至図１６に示した種々の実施形態による第１副画素ＰＸａ及び第２副画素ＰＸｂを含んでもよい。第１副画素ＰＸａ及び第２副画素ＰＸｂは、それぞれ一つの入力映像信号ＩＤＡＴに対する連続した二つ以上のフレーム、つまり、一つのフレームセットの各フレーム内に第１乃至第４ガンマ曲線ＧＨ、ＧＬ、ＧＭ１、ＧＭ２のうちの一つによるデータ電圧Ｖｄの印加を受けて、映像を表示してもよい。この時、第１副画素ＰＸａ及び第２副画素ＰＸｂによって一つのフレームセット内に表示される映像は、第１ガンマ曲線ＧＨ及び第２ガンマ曲線ＧＬによる映像を必ず含んでもよい。
【０２２９】
第１乃至第４ガンマ曲線ＧＨ、ＧＬ、ＧＭ１、ＧＭ２は、側面視認性を向上させるために、第１副画素ＰＸａ及び第２副画素ＰＸｂによって一つのフレームセット内に表示される映像の合成ガンマ曲線が、表示装置に最も適合するように定められた正面ガンマ曲線Ｇｆと一致するようにして、側面での合成ガンマ曲線を正面ガンマ曲線Ｇｆに最大限近くするように調整してもよい。この時、合成ガンマ曲線が、最大限変曲点を有せずに、正面ガンマ曲線Ｇｆに近くなるように第１乃至第４ガンマ曲線ＧＨ、ＧＬ、ＧＭ１、ＧＭ２を選択して、表示品質を高めることができる。本実施形態では四つのガンマ曲線ＧＨ、ＧＬ、ＧＭ１、ＧＭ２を利用するので、三つのガンマ曲線を利用する実施形態に比べて、側面での合成ガンマ曲線が正面ガンマ曲線Ｇｆにさらに近くなるように調整することが容易である。
【０２３０】
例えば、第１ガンマ曲線ＧＨは、最低階調からほぼ中間階調付近までは次第に輝度が増加し、ほぼ中間階調付近以上では表示可能な最高輝度を示すことができる。第２ガンマ曲線ＧＬは、これとは反対に、最低階調からほぼＮ（２／３）階調（Ｎは、最高階調）付近までは最低輝度を示し、ほぼＮ(２／３)階調付近以上では次第に輝度が増加して、最高階調では最高輝度に到達することができる。第３ガンマ曲線ＧＭ１は、最低階調からほぼ中間階調付近までは最低輝度を示し、ほぼ中間階調付近で急激に輝度が上昇して、それ以上の階調では最高輝度を示しことができる。第４ガンマ曲線ＧＭ２も、最低階調からほぼ中間階調付近までは最低輝度を示し、ほぼ中間階調付近で輝度が最高輝度まで上昇するが、その上昇傾斜は第３ガンマ曲線ＧＭ１より小さくてもよい。
【０２３１】
以下、第１乃至第４ガンマ曲線ＧＨ、ＧＬ、ＧＭ１、ＧＭ２を利用して側面視認性を向上させる具体的な駆動方法の例について、図２４Ａ乃至図３０Ｂを参照して具体的に説明する。
【０２３２】
本発明の一実施形態による表示装置の画素ＰＸは、連続した二つ以上のフレームを一つのフレームセットにして駆動されてもよい。例えば、図２４Ａ乃至図２６Ｂに示したように、連続した二つのフレーム１Ｆ、２Ｆでは入力映像信号ＩＤＡＴ１に対する映像を表示し、次いで連続した二つのフレーム３Ｆ、４Ｆでは次の入力映像信号ＩＤＡＴ２に対する映像を表示してもよい。
【０２３３】
または、図２７Ａ乃至図３０Ｂに示したように、連続した三つのフレーム１Ｆ、２Ｆ、３Ｆでは入力映像信号ＩＤＡＴ１に対する映像を表示し、次いで連続した三つのフレーム４Ｆ、５Ｆ、６Ｆでは次の入力映像信号ＩＤＡＴ２に対する映像を表示してもよい。しかし、一つのフレームセットが含むフレーム数は異なるように変更してもよい。一つのフレームセットが三つ以上のフレームを含む場合、側面での合成ガンマ曲線が正面ガンマ曲線Ｇｆにさらに近くなるように調整することができるフレームの数がさらに多くなるので、ガンマ曲線を調節することができる地点が増加して、側面視認性がさらに向上することができる。
【０２３４】
まず、図２４Ａ及び図２４Ｂを参照すれば、一つのフレームセットが含む二つのフレームのうちの一つにおいて、第１副画素ＰＸａは第１ガンマ曲線ＧＨによる第１映像Ｈを表示し、第２副画素ＰＸｂは第３ガンマ曲線ＧＭ１による第３映像Ｍ１を表示してもよく、それ以外の一つのフレームにおいて、第１副画素ＰＸａは第４ガンマ曲線ＧＭ２による第４映像Ｍ２を表示し、第２副画素ＰＸｂは第２ガンマ曲線ＧＬによる第２映像Ｌを表示してもよい。また、図２４Ｃ及び図２４Ｄに示したように、一つのフレームセットが含む二つのフレームのうちの一つにおいて、第１副画素ＰＸａは第１ガンマ曲線ＧＨによる第１映像Ｈを表示し、第２副画素ＰＸｂは第３ガンマ曲線ＧＭ１による第３映像Ｍ１を表示してもよく、それ以外の一つのフレームにおいて、第１副画素ＰＸａは第２ガンマ曲線ＧＬによる第２映像Ｌを表示し、第２副画素ＰＸｂは第４ガンマ曲線ＧＭ２による第４映像Ｍ２を表示してもよい。特に、図２４Ｂ及び図２４Ｄに示したように、隣接する二つのフレームセットで画素ＰＸが表示する映像の順序を反対に変えれば、第２副画素ＰＸｂに対して輝度の低い第２映像Ｌが連続したフレームで表示され、第１副画素ＰＸａに対しても輝度が相対的に低い第４映像Ｍ２が連続したフレームで表示され、輝度の高い第１映像Ｈも連続したフレームで表示されるので、液晶分子の遅い応答速度を補償できて、側面視認性がさらに向上することができる。
【０２３５】
次に、図２５Ａ及び図２５ｂを参照すれば、一つのフレームセットが含む二つのフレームのうちの一つにおいて、第１副画素ＰＸａは第３映像Ｍ１を表示し、第２副画素ＰＸｂは第１映像Ｈを表示してもよく、それ以外の一つのフレームにおいて、第１副画素ＰＸａは第４映像Ｍ２を表示し、第２副画素ＰＸｂは第２映像Ｌを表示してもよい。特に、図２５Ｂに示したように、隣接する二つのフレームセットで画素ＰＸが表示する映像の順序を反対に変えれば、第２副画素ＰＸｂに対して輝度の低い第２映像Ｌが連続したフレームで表示され、輝度の高い第１映像Ｈも連続したフレームで表示され、第１副画素ＰＸａに対しても輝度が相対的に低い第４映像Ｍ２が連続したフレームで表示されるので、液晶分子の遅い応答速度を補償できて、側面視認性がさらに向上することができる。
【０２３６】
次に、図２６Ａ及び図２６Ｂを参照すれば、一つのフレームセットが含む二つのフレームのうちの一つにおいて、第１副画素ＰＸａは第３映像Ｍ１を表示し、第２副画素ＰＸｂは第４映像Ｍ２を表示してもよく、それ以外の一つのフレームにおいて、第１副画素ＰＸａは第１映像Ｈを表示し、第２副画素ＰＸｂは第２映像Ｌを表示してもよい。特に、図２６Ｂに示したように、隣接する二つのフレームセットで画素ＰＸが表示する映像の順序を反対に変えれば、第２副画素ＰＸｂに対して輝度の低い第２映像Ｌが連続したフレームで表示され、第１副画素ＰＸａに対しても輝度が相対的に低い第３映像Ｍ１が連続したフレームで表示され、輝度の高い第１映像Ｈも連続したフレームで表示されるので、液晶分子の遅い応答速度を補償できて、側面視認性がさらに向上することができる。
【０２３７】
次に、図２７Ａ及び図２７Ｂを参照すれば、一つのフレームセットが含む三つのフレームのうちの一つにおいて、第１副画素ＰＸａは第１映像Ｈを表示し、第２副画素ＰＸｂは第３映像Ｍ１を表示してもよく、一つのフレームにおいて、第１副画素ＰＸａは第４映像Ｍ２を表示し、第２副画素ＰＸｂは第２映像Ｌを表示してもよく、それ以外の一つのフレームにおいて、第１副画素ＰＸａ及び第２副画素ＰＸｂは第２映像Ｌを表示してもよい。特に、図２７Ｂに示したように、隣接する二つのフレームセットで画素ＰＸが表示する映像の順序を反対に変えれば、第２副画素ＰＸｂに対して輝度の低い第２映像Ｌが連続した四つのフレームで表示され、第１副画素ＰＸａに対しても輝度の低い第２映像Ｌが連続した少なくとも二つのフレームで表示され、輝度の高い第１映像Ｈも連続したフレームで表示されるので、液晶分子の遅い応答速度を補償できて、側面視認性がさらに向上することができる。
【０２３８】
次に、図２８Ａ及び図２８Ｂを参照すれば、一つのフレームセットが含む三つのフレームのうちの一つにおいて、第１副画素ＰＸａは第１映像Ｈを表示し、第２副画素ＰＸｂは第２映像Ｌを表示してもよく、一つのフレームにおいて、第１副画素ＰＸａは第３映像Ｍ１を表示し、第２副画素ＰＸｂは第２映像Ｌを表示してもよく、それ以外の一つのフレームにおいて、第１副画素ＰＸａは第４映像Ｍ２を表示し、第２副画素ＰＸｂは第２映像Ｌを表示してもよい。特に、図２８Ｂに示したように、隣接する二つのフレームセットで画素ＰＸが表示する映像の順序を反対に変えれば、第１副画素ＰＸａに対して輝度が相対的に低い第４映像Ｍ２が連続した少なくとも二つのフレームで表示され、輝度の高い第１映像Ｈも連続したフレームで表示されるので、液晶分子の遅い応答速度を補償できて、側面視認性がさらに向上することができる。
【０２３９】
次に、図２９Ａ及び図２９Ｂを参照すれば、一つのフレームセットが含む三つのフレームのうちの一つにおいて、第１副画素ＰＸａは第１映像Ｈを表示し、第２副画素ＰＸｂは第２映像Ｌを表示してもよく、一つのフレームにおいて、第１副画素ＰＸａは第３映像Ｍ１を表示し、第２副画素ＰＸｂは第４映像Ｍ２を表示してもよく、それ以外の一つのフレームにおいて、第１副画素ＰＸａ及び第２副画素ＰＸｂは第２映像Ｌを表示してもよい。特に、図２９Ｂに示したように、隣接する二つのフレームセットで画素ＰＸが表示する映像の順序を反対に変えれば、第２副画素ＰＸｂに対して輝度の低い第２映像Ｌが連続した二つのフレームで表示され、第１副画素ＰＸａに対しても輝度の低い第２映像Ｌが連続した二つのフレームで表示され、輝度の高い第１映像Ｈも連続したフレームで表示されるので、液晶分子の遅い応答速度を補償できて、側面視認性がさらに向上することができる。
【０２４０】
次に、図３０Ａ及び図３０Ｂを参照すれば、一つのフレームセットが含む三つのフレームのうちの一つにおいて、第１副画素ＰＸａは第１映像Ｈを表示し、第２副画素ＰＸｂは第３映像Ｍ１を表示してもよく、一つのフレームにおいて、第１副画素ＰＸａは第３映像Ｍ１を表示し、第２副画素ＰＸｂは第４映像Ｍ２を表示してもよく、それ以外の一つのフレームにおいて、第１副画素ＰＸａ及び第２副画素ＰＸｂは第２映像Ｌを表示してもよい。特に、図３０Ｂに示したように、隣接する二つのフレームセットで画素ＰＸが表示する映像の順序を反対に変えれば、第２副画素ＰＸｂに対して輝度の低い第２映像Ｌが連続した二つのフレームで表示され、第１副画素ＰＸａに対しても輝度の低い第２映像Ｌが連続した二つのフレームで表示され、輝度の高い第１映像Ｈも連続したフレームで表示されるので、液晶分子の遅い応答速度を補償できて、側面視認性がさらに向上することができる。
【０２４１】
その他にも、二つの副画素ＰＸａ、ＰＸｂに対して一つのフレームセットで表示される映像が従うガンマ曲線は、上述した第１乃至第４ガンマ曲線ＧＨ、ＧＬ、ＧＭ１、ＧＭ２の中で多様に選択してもよい。
【０２４２】
また、画素ＰＸを二つの副画素ＰＸａ、ＰＸｂに分割せずに、図２と関連して上述した通り、一画素ＰＸが一つのデータ電圧の印加を受ける場合にも、図１７及び図２４に示したように、三つ以上のガンマ曲線を使用して時分割駆動を行ってもよい。これに対して、図３１Ａ乃至図３３Ｂを参照して、本発明の一実施形態による表示装置の駆動方法について説明する。
【０２４３】
図３１Ａ、図３１Ｂ、図３２Ａ、図３２Ｂ、図３３Ａ、及び図３３Ｂは、それぞれ図２に示した表示装置の一画素の適用されるガンマ曲線による輝度をフレーム順に示した図面である。
【０２４４】
図３１Ａ及び図３１Ｂを参照すれば、本発明の一実施形態による表示装置の画素ＰＸは、上述した図５Ａ及び図５Ｂに示した実施形態と類似するように駆動されてもよいが、上述した互いに異なる三つのガンマ曲線ＧＨ、ＧＬ、ＧＭを利用してもよい。
【０２４５】
具体的に、第１映像Ｈと第２映像Ｌが表示される二つのフレームの間には第３ガンマ曲線ＧＭに従う第３映像Ｍが表示されるフレームを配置してもよい。このように輝度が高い第１映像Ｈを表示した後、輝度が低い第２映像Ｌを表示する時に、その中間に中間輝度に相当する第３映像Ｍを表示することによって、液晶分子を予め傾くようにすることができるプレチルト（ｐｒｅｔｉｌｔ）効果が与えられて、液晶分子の下降応答速度をさらに早くすることができる。特に、図３１Ｂに示したように、隣接する二つのフレームセットで画素ＰＸが表示する映像の順序を反対に変えれば、輝度の低い第２映像Ｌが連続したフレームで表示され、輝度の高い第１映像Ｈも連続したフレームで表示されるので、液晶分子の遅い応答速度をさらに補償することができる。
【０２４６】
次に、図３２Ａ及び図３２Ｂを参照すれば、本発明の一実施形態による表示装置の画素ＰＸは、上述した図６に示した実施形態と類似するように駆動されてもよいが、図３１Ａ及び図３１Ｂと同様に、第１映像Ｈと第２映像Ｌが表示される二つのフレームの間には第３ガンマ曲線ＧＭに従う第３映像Ｍが表示されるフレームを配置してもよく、その効果も上述した通りである。特に、図３２Ｂに示したように、隣接する二つのフレームセットで画素ＰＸが表示する映像の順序を反対に変えれば、輝度の低い第２映像Ｌが連続したフレームで表示され、輝度の高い第１映像Ｈも連続したフレームで表示されるので、液晶分子の遅い応答速度をさらに補償することができる。
【０２４７】
次に、図３３Ａ及び図３３Ｂを参照すれば、本発明の一実施形態による表示装置の画素ＰＸは、上述した図６に示した実施形態と類似するように駆動されてもよいが、上述した互いに異なる四つのガンマ曲線ＧＨ、ＧＬ、ＧＭ１、ＧＭ２を利用してもよい。
【０２４８】
具体的に、第１映像Ｈと第２映像Ｌが表示される二つのフレームの間に第３ガンマ曲線ＧＭ１及び第４ガンマ曲線ＧＭ２に従う第３映像Ｍ１及び第４映像Ｍ２を表示するフレームを順次に配置してもよい。このように輝度が高い第１映像Ｈを表示した後、輝度が低い第２映像Ｌを表示する時に、その中間に中間輝度に相当する第３映像Ｍ１及び第４映像Ｍ２を順次に表示することによって、液晶分子の下降応答速度をさらに早くすることができる。特に、図３３Ｂに示したように、隣接する二つのフレームセットで画素ＰＸが表示する映像の順序を反対に変えたときの効果は上述した通りである。
【０２４９】
次に、図３４乃至図３６を参照して、本発明の一実施形態による表示装置の駆動方法について説明する。
【０２５０】
図３４は、本発明の一実施形態による表示装置の隣接する二つの画素に適用されるガンマ曲線による輝度をフレーム順に示した図面であり、図３５及び図３６は、それぞれ本発明の一実施形態による表示装置の隣接する四つの画素に適用されるガンマ曲線による輝度をフレーム順に示した図面である。
【０２５１】
まず、図３４を参照すれば、本発明の一実施形態による表示装置が含む一画素ＰＸは、第１副画素ＰＸａ及び第２副画素ＰＸｂを含んでもよく、図３４に示したこととは異なって、分割されていなくてもよい。第１画素ＰＸ１及び第２画素ＰＸ２は、表示板３００で行方向または列方向に隣接して、互いに異なる入力映像信号ＩＤＡＴを表示する二つの画素であってよい。
【０２５２】
第１画素ＰＸ１及び第２画素ＰＸ２は、二つ以上の連続したフレームを含む一つのフレームセットを単位で、それぞれの入力映像信号ＩＤＡＴに対応する映像を表示してもよい。例えば、第１画素ＰＸ１及び第２画素ＰＸ２は、連続した二つのフレーム１Ｆ、２Ｆでそれぞれの入力映像信号ＩＤＡＴ１に対する映像を表示し、次いで連続した二つのフレーム３Ｆ、４Ｆではそれぞれの次の入力映像信号ＩＤＡＴ２に対する映像を表示してもよい。
【０２５３】
まず、第１画素ＰＸ１について説明すれば、一つのフレームセットが含む二つのフレームのうちの一つにおいて、図３または図１７に示された第１ガンマ曲線ＧＨによる第１映像Ｈを表示し、それ以外の一つのフレームは第２ガンマ曲線ＧＬによる第２映像Ｌを表示してもよい。この時、連続した二つのフレームセットで第１映像Ｈと第２映像Ｌを表示する順序を反対にしてもよく、同一にしてもよい。その他に、第１画素ＰＸ１は、上述した種々の実施形態（図４乃至図６、図１８Ａ乃至図２２Ｂ、図２４Ａ乃至図３３Ｂなど）によって映像を表示してもよい。
【０２５４】
次に、第２画素ＰＸ２について説明すれば、同一のフレーム１Ｆ、２Ｆ、３Ｆ、４Ｆで第２画素ＰＸ２が表示する映像が従うガンマ曲線は、第１画素ＰＸ１が従うガンマ曲線と異なってもよい。例えば、図３４に示したように、第１画素ＰＸ１が第１映像Ｈを表示するフレームで、第２画素ＰＸ２は第２映像Ｌを表示してもよく、その反対でもよい。このように隣接する画素ＰＸ１、ＰＸ２が表示する映像に対するガンマ曲線を異なるようにすれば、フリッカーのような表示不良を減らすことができる。特に、データ電圧Ｖｄの極性がフレームごとに変化するフレーム反転駆動または列反転駆動の場合に生じうる縦縞ムラ、フリッカーなどをさらに減らすことができる。
【０２５５】
図３５及び図３６を参照すれば、本実施形態でも一画素ＰＸは第１副画素ＰＸａ及び第２副画素ＰＸｂを含んでもよく、図３５に示したこととは異なって、分割されていなくてもよい。第１画素ＰＸ１、第２画素ＰＸ２、第３画素ＰＸ３、及び第４画素ＰＸ４は、表示板３００で行方向または列方向に隣接して、互いに異なる入力映像信号ＩＤＡＴを表示する四つの画素であってよい。第１乃至第４画素ＰＸ１、ＰＸ２、ＰＸ３、ＰＸ４は、共に行列状を有してもよい。
【０２５６】
各画素ＰＸ１、ＰＸ２、ＰＸ３、ＰＸ４は、上述した図４乃至図６、図１８Ａ乃至図２２Ｂ、及び図２４Ａ乃至図３３Ｂなどに示したように映像を表示してもよい。図３６は、各画素ＰＸ１、ＰＸ２、ＰＸ３、ＰＸ４が、上述した図１８Ａまたは図１８Ｂに示したように映像を表示する例であり、図３５は、図３６で第３映像Ｍが第１映像Ｈに代替された例である。
【０２５７】
本実施形態によれば、隣接するフレームセットにおいて、行方向に隣接する第１画素ＰＸ１及び第２画素ＰＸ２が表示する映像の順序が反対であってもよく、列方向に隣接する第１画素ＰＸ１及び第３画素ＰＸ３が表示する映像の順序が反対であってもよい。従って、一つのフレーム１Ｆ、２Ｆ、３Ｆ、４Ｆで対角線方向に隣接する二つの画素ＰＸ１、ＰＸ２、ＰＸ３、ＰＸ４が表示する映像が互いに同一であってもよい。
【０２５８】
このように、隣接する画素ＰＸ１、ＰＸ２、ＰＸ３、ＰＸ４が表示する映像に対するガンマ曲線を異なるようにすれば、フリッカーのような表示不良を減らすことができる。
【０２５９】
次に図３７乃至図４１を参照して本発明の一実施形態による表示装置及びその駆動方法について説明する。
【０２６０】
図３７は、本発明の一実施形態による表示装置のガンマ曲線を示すグラフであり、図３８及び図３９は、それぞれ本発明の一実施形態による表示装置のバックライト部の駆動方法を示すタイミング図であり、図４０及び図４１は、それぞれ本発明の一実施形態による表示装置が入力映像信号によって表示する映像の階調及びバックライト部の輝度を示した図面である。
【０２６１】
本実施形態による表示装置は、上述した種々の実施形態による表示装置と同一であってもよく、その駆動方法も上述した種々の実施形態に従ってもよい。また、本実施形態による表示装置に適用されるガンマ曲線は、上述した図３、図１７または図２３に示したガンマ曲線と同一であってもよい。但し、本実施形態による表示装置は、適用されるガンマデータ及び入力映像信号ＩＤＡＴの階調によって、バックライト部９００のオン／オフ（ＯＮ／ＯＦＦ）を制御することができる。バックライト部９００のオン／オフを制御するために、信号制御部６００はガンマデータ及び入力映像信号ＩＤＡＴを分析して、分析結果に基づいてバックライト制御信号ＣＯＮＴ４を生成し、これをバックライト制御部９５０に送信してもよい。
【０２６２】
具体的に、図３７を参照すれば、相対的に高い輝度を示す第１ガンマ曲線ＧＨと、相対的に低い輝度を示す第２ガンマ曲線ＧＬに対して、第１区間Ｅと第２区間Ｆは、第１ガンマ曲線ＧＨによる第１映像Ｈの輝度と、第２ガンマ曲線ＧＬによる第２映像Ｌの輝度との差が、最高輝度と最低輝度との差（全体輝度という）のほぼ７０％以上である区間と定めてもよい。
【０２６３】
このような第１及び第２区間Ｅ、Ｆでは、高輝度から低輝度に変化する時に、液晶分子の応答速度が視認性に影響を与えることがある。つまり、第１及び第２区間Ｅ、Ｆで液晶分子の下降応答速度が遅い場合、低階調が十分に表現されなくて、視認性が悪くなる恐れがある。
【０２６４】
しかし、本発明の一実施形態によれば、図３７及び図３８に示したように、画素ＰＸが第１フレーム１Ｆで最高輝度ではない高輝度の第１映像Ｈを表示した後、次の第２フレーム２Ｆで最低輝度の第２映像Ｌを表示する時に（図３７で第１区間Ｅ）、第２フレーム２Ｆの間にはバックライト部９００をオフして完全なブラックを表示してもよい。この時、高輝度の第１映像Ｈの輝度は最高輝度のほぼ７０％以上であってもよい（図３８のＥ）。
【０２６５】
一方、図３７及び図３８において、第２区間Ｆのように、画素ＰＸが第１フレーム１Ｆで最高輝度の第１映像Ｈを表示した後、第２フレーム２Ｆで０でない低輝度の第２映像Ｌを表示する場合には、第２フレーム２Ｆの間にバックライト部９００を完全にオフせずに、一部時間オンしてもよい（図３８のＦ）。この時、低輝度の第２映像Ｌの輝度は、最高輝度のほぼ３０％以下であってもよい。本実施形態によれば、第２フレーム２Ｆでバックライト部９００がオンされている時間のＰＷＭデューティ比（ＰＷＭ  ｄｕｔｙ  ｒａｔｉｏ）を調節することができ、バックライト部９００のＰＷＭデューティ比Ｒは、次の数式１によって定められる。
【０２６６】
〔数１〕
Ｒ＝１−ａ／ｂ
数式１中、ｂは、バックライト部９００に最高の駆動電流を流して示すことができる最高輝度を表し、ａは、入力映像信号ＩＤＡＴのターゲット輝度とバックライト部９００がオンである場合、実際に表示される輝度の差を表す。この時、バックライト部９００がオンである場合、実際に表示される輝度とターゲット輝度との差は予め測定されて、別途のメモリに保存しておいてもよい。また、数式１は、ＰＷＭデューティ比Ｒによってバックライト部９００の輝度が線形的に増加するということを前提とする。
【０２６７】
第２区間Ｆにおいて、バックライト部９００がＰＷＭデューティ比Ｒによってオンされている区間は、図３８の第１ケースＣＡＳＥＩのように第２フレーム２Ｆの最後の部分に位置してもよく、第２ケースＣＡＳＴＩＩのように第２フレーム２Ｆの最初の部分に位置してもよい。第１ケースＣＡＳＥＩの場合、液晶分子の遅い下降応答速度をまず補償して、低階調を十分に表現することができるので、視認性向上のためにさらに好ましい。
【０２６８】
第２フレーム２Ｆにおいて、図３７の第１及び第２区間Ｅ、Ｆを除いた区間及び第２フレーム２Ｆを除いたフレーム内には、バックライト部９００はオンされていてもよい（図３８の最下段参照）。
【０２６９】
図３７及び図３９を参照すれば、本発明の一実施形態による表示装置の画素ＰＸが、上述した図３７に示された第１及び第２区間Ｅ、Ｆのガンマ曲線によって第３フレーム３Ｆで低輝度の第２映像Ｌを表示した後、次の第４フレーム４Ｆで高輝度の第１映像Ｈを表示する時に、第４フレーム４Ｆの間にはバックライト部９００に基本駆動電流以外に追加駆動電流をさらに流して、バックライト部９００が基本輝度１００％でブースティング輝度ｄＵほどさらに強い光を送出することができる。従って、第４フレーム４Ｆでバックライト部９００が画素ＰＸに提供する光の輝度は、第３フレーム３Ｆでバックライト部９００が画素ＰＸに提供する光の輝度より高くてもよい。
【０２７０】
ブースティング輝度ｄＵほどさらに強い光を出す時の駆動電流であるブースティング駆動電流Ｉｄ_Ｕの大きさは、次の数式２によって定められる。
【０２７１】
〔数２〕
Ｉｄ_Ｕ＝（１＋ｃ／ｄ）×Ｉｄ
数式２中、Ｉｄは、バックライト部９００が１００％の基本輝度を出す時の駆動電流を表し、ｄは、１００％の基本輝度を表し、ｃは、入力映像信号ＩＤＡＴのターゲット輝度とバックライト部９００が基本輝度を出す時の実際に表示される輝度との差を表す。ｃの値は、予め測定されて別途のメモリに保存しておいてもよい。
【０２７２】
第４フレーム４Ｆにおいて、図３７の第１及び第２区間Ｅ、Ｆを除いた区間及び第４フレーム４Ｆを除いたフレーム内には、バックライト部９００は基本輝度の光を出すことができる。
【０２７３】
図４０及び図４１は、それぞれ図３８及び図３９に示した実施形態による表示板３００及びバックライト部９００の動作の一例を示す。
【０２７４】
本実施形態において、バックライト部９００は複数の発光ブロックに分れて、各発光ブロックの光量を制御できるローカル調光駆動方法によって駆動されてもよい。
【０２７５】
図４０を参照すれば、表示板３００の各画素ＰＸに対して０階調から２４０階調までの入力映像信号ＩＤＡＴが順次に入力される時、第１フレーム１Ｆで、第１ガンマ曲線ＧＨによって、表示板３００の各画素ＰＸは第１映像Ｈに該当するデータ電圧Ｖｄの印加を受け、バックライト部９００は１００％の基本輝度の光を表示板３００に提供してもよい。
【０２７６】
第２フレーム２Ｆでは第２ガンマ曲線ＧＬによって表示板３００の各画素ＰＸは、第２映像Ｌに該当するデータ電圧Ｖｄの印加を受けて、低階調に対応する画素ＰＸは大部分最低階調の０階調に対応するデータ電圧Ｖｄの印加を受ける。この時、バックライト部９００は、図３７の第１区間Ｅに該当する画素ＰＸ、つまり、第２フレーム２Ｆで０階調に該当するデータ電圧Ｖｄの印加を受ける画素ＰＸに対してはオフされて、０％の輝度の光を表示板３００に提供してもよい。また、図３７の第２区間Ｆに該当する画素ＰＸに対しては、定められたＰＷＭデューティ比Ｒの間にオンされて短時間発光して、１００％より小さい輝度の光を表示板３００に提供してもよい。
【０２７７】
図４１を参照すれば、表示板３００の各画素ＰＸに対して０階調から２４０階調までの入力映像信号ＩＤＡＴが順次に入力される時に、第１フレーム１Ｆで、第２ガンマ曲線ＧＬによって、表示板３００の各画素ＰＸは第２映像Ｌに該当するデータ電圧Ｖｄの印加を受け、バックライト部９００は１００％の基本輝度の光を表示板３００に提供してもよい。
【０２７８】
第２フレーム２Ｆでは、第１ガンマ曲線ＧＨによって、表示板３００の各画素ＰＸは第１映像Ｈに該当するデータ電圧Ｖｄの印加を受けて、高階調に対応する画素ＰＸは大部分最高階調の２５５階調に対応するデータ電圧Ｖｄの印加を受ける。この時、バックライト部９００は、図３７の第１及び第２区間Ｅ、Ｆに該当する画素ＰＸに対してブースティング駆動電流Ｉｄ_Ｕを流して、基本輝度にブースティング輝度ｄＵが加えられた輝度の光を表示板３００に提供してもよい。
【０２７９】
以下、上述した図面と図４２乃至図４５を参照して、本発明の一実施形態による表示装置及びその駆動方法について説明する。上述した実施形態と同一の構成要素に対しては同一図面符号を付け、同一の説明は省略する。
【０２８０】
図４２及び図４３は、それぞれ本発明の一実施形態による表示装置の複数の画素の簡略な回路図である。
【０２８１】
図４２を参照すれば、複数の画素ＰＸのうちの一画素列に位置する画素ＰＸは、スイッチング素子Ｑを通じて同一のデータ線Ｄｊ、Ｄ（ｊ＋１）、Ｄ（ｊ＋２）、Ｄ（ｊ＋３）に連結されてもよい。これとは異なって、図４３を参照すれば、複数の画素ＰＸのうちの一画素列に位置する画素ＰＸは、スイッチング素子Ｑを通じて互いに異なる二つのデータ線Ｄｊ、Ｄ（ｊ＋１）、Ｄ（ｊ＋２）、Ｄ（ｊ＋３）に交互に連結されてもよい。本発明の一実施形態によれば、一画素行に位置する画素ＰＸは同一のゲート線Ｇｉ、Ｇ（ｉ＋１）、Ｇ（ｉ＋２）に連結されてもよい。
【０２８２】
信号制御部６００がデータ駆動部５００に送信するデータ制御信号ＣＯＮＴ２は、共通電圧Ｖｃｏｍに対するデータ電圧Ｖｄの極性（データ電圧の極性という）を反転させる反転信号をさらに含んでもよい。
【０２８３】
本発明の一実施形態による一画素ＰＸは、一つのフレームセットが含む複数のフレーム内に互いに異なるガンマ曲線によるデータ電圧Ｖｄの印加を受けて、映像を表示してもよい。ガンマデータが、上述した図３、図１７及び図２３に示したように、二つ以上のガンマ曲線を含む場合、一つのフレームセット内に表示される映像は、最低階調及び最高階調でない中間の一つの階調に対して、輝度が最も大きい第１ガンマ曲線ＧＨ及び一つの階調に対して輝度が最も低い第２ガンマ曲線ＧＬによる映像は必ず含んでもよい。
【０２８４】
一画素行のデータ線Ｄ１〜Ｄｍに印加されるデータ電圧Ｖｄの極性が互いに異なる場合、隣接するデータ線Ｄｊ、Ｄ（ｊ＋１）、Ｄ（ｊ＋２）、Ｄ（ｊ＋３）のデータ電圧Ｖｄの極性は互いに異なる。この場合、図４２に示した構造によれば、一画素列に位置する画素ＰＸのデータ電圧Ｖｄの極性は同一であり、一画素行に位置する画素ＰＸのデータ電圧Ｖｄの極性は正（＋）と負（＋）が交互に配置されてもよい。反面、図４３に示した構造によれば、一画素列に位置する画素ＰＸのデータ電圧Ｖｄの極性は、列方向に正（＋）と負（＋）が交互に配置されてもよい。
【０２８５】
それでは上述した種々の実施形態による表示装置の駆動方法の種々の実施形態について、図４４乃至図６０を参照して説明する。
【０２８６】
図４４は、本発明の一実施形態による表示装置の複数の画素の輝度及びデータ電圧の極性をフレーム順に示した図面であり、図４５は、本発明の一実施形態による表示装置の一画素の輝度をフレーム順に示した図面であり、図４６乃至図６０は、それぞれ本発明の一実施形態による表示装置の複数の画素の輝度及びデータ電圧の極性をフレーム順に示した図面である。
【０２８７】
本発明の一実施形態による表示装置は、上述した第１ガンマ曲線ＧＨ及び第２ガンマ曲線ＧＬを利用して、側面視認性を向上させることができる。しかし、これに限定されることではんく、三つ以上の異なるガンマ曲線を利用してもよい。
【０２８８】
まず、図４４を参照すれば、本発明の一実施形態による表示装置は、行列状に配列された複数のドットＤｏｔ１、Ｄｏｔ２、Ｄｏｔ３、Ｄｏｔ４を含み、各ドットＤｏｔ１、Ｄｏｔ２、Ｄｏｔ３、Ｄｏｔ４は、赤色、緑色及び青色などのような互いに異なる基本色をそれぞれ表示する複数の画素ＰＸ１、ＰＸ２、ＰＸ３を含む。一つのドットＤｏｔ１〜Ｄｏｔ４が含む第１画素ＰＸ１、第２画素ＰＸ２、及び第３画素ＰＸ３は、それぞれ互いに異なる三原色、例えば赤色、緑色、及び青色を示してもよい。各ドットＤｏｔ１〜Ｄｏｔ４が含む複数の画素ＰＸ１、ＰＸ２、ＰＸ３は、行方向または列方向に配置してもよく、それぞれ互いに異なる入力映像信号ＩＤＡＴに対応する映像を表示してもよい。
【０２８９】
各ドットＤｏｔ１〜Ｄｏｔ４は、連続した二つ以上のフレームを一つのフレームセットにして駆動されてもよい。図４４は、二つのフレームを一つのフレームセットにして駆動する例を示す。第１入力映像信号ＩＤＡＴ１に対して連続した二つのフレーム１Ｆ、２Ｆを含む第１フレームセット内に、互いに異なるガンマ曲線を適用した互いに異なる輝度の映像を表示し、第１入力映像信号ＩＤＡＴ１の次の第２入力映像信号ＩＤＡＴ２に対しては、第１フレームセットの次に位置して、連続した二つのフレーム３Ｆ、４Ｆを含む第２フレームセットで、互いに異なるガンマ曲線を適用した互いに異なる輝度の映像を表示してもよい。
【０２９０】
一画素ＰＸ１、ＰＸ２、ＰＸ３について説明すれば、一つのフレームセットが含む二つのフレームのうちの一つは、第１ガンマ曲線ＧＨによる映像（第１映像Ｈという）を表示し、それ以外のフレームは、第２ガンマ曲線ＧＬによる映像（第２映像Ｌという）を表示してもよい。このような時分割駆動によれば、連続したフレームで互いに異なるガンマ曲線による映像を表示するので、これらの側面での合成ガンマ曲線を正面ガンマ曲線Ｇｆに最大限近くして、側面視認性を向上させることができる。また、一画素ＰＸを分割する必要がないので、透過率も向上させることができる。
【０２９１】
１Ｆ、２Ｆを含む第１フレームセットと、３Ｆ、４Ｆを含む第２フレームセットとでは、各画素ＰＸが表示する映像の順序を反対に変えているが、その効果は上述した通りである。
【０２９２】
図４５を参照すれば、各画素ＰＸ１、ＰＸ２、ＰＸ３は、第１入力映像信号ＩＤＡＴ１に対するフレームセットの最初のフレームである第１フレーム１Ｆで第１映像Ｈを表示し、二番目のフレームである第２フレーム２Ｆで第２映像Ｌを表示した場合、次の第２入力映像信号ＩＤＡＴ２に対するフレームセットにおいても、最初のフレームである第３フレーム３Ｆで第１映像Ｈを表示し、二番目のフレームである第４フレーム４Ｆで第２映像Ｌを表示してもよい。以降のフレームセット内においても、第１フレーム１Ｆ乃至第４フレーム４Ｆと同一の方式によって映像を表示してもよい。
【０２９３】
これ以外に、本発明の一実施形態による表示装置の各画素ＰＸ１、ＰＸ２、ＰＸ３は、図４乃至図６に示した種々の実施形態による時分割駆動によって映像を表示してもよい。
【０２９４】
図４４は、各画素ＰＸ１、ＰＸ２、ＰＸ３が上述した図４に示した実施形態と同様の順に映像を表示する例を示す。
【０２９５】
本発明の一実施形態によれば、各フレーム１Ｆ、２Ｆ、３Ｆ、４Ｆで隣接する画素ＰＸ１、ＰＸ２、ＰＸ３が表示する映像が従うガンマ曲線は互いに異なる。つまり、一つのフレーム１Ｆ、２Ｆ、３Ｆ、４Ｆ内に第１ガンマ曲線ＧＨによる映像と、第２ガンマ曲線ＧＬによる映像が同時に表示されてもよい。従って、毎フレームが一つのガンマ曲線による映像を表示する場合に比べて、本発明の一実施形態によれば、互いに異なるガンマ曲線による輝度差によって発生するフリッカーなどの表示不良をなくすことができる。
【０２９６】
本発明の他の実施形態によれば、各フレーム１Ｆ、２Ｆ、３Ｆ、４Ｆで画素ＰＸ１、ＰＸ２、ＰＸ３が表示する映像が従うガンマ曲線は、二つ以上の画素ＰＸ１、ＰＸ２、ＰＸ３ごとに変化してもよい。
【０２９７】
例えば、図４６を参照すれば、本実施形態による駆動方法は図４４に示した実施形態と大部分同一であるが、隣接する三つの画素ＰＸ１、ＰＸ２、ＰＸ３は同一のガンマ曲線による映像を表示し、三つの画素ＰＸ１、ＰＸ２、ＰＸ３ごとに互いに異なるガンマ曲線に従ってもよい。つまり、一つのドットＤｏｔ１〜Ｄｏｔ４は、第１ガンマ曲線ＧＨによる映像を表示し、それに隣接するドットＤｏｔ１〜Ｄｏｔ４は、第２ガンマ曲線ＧＬによる映像を表示してもよい。このとき、１Ｆ、２Ｆを含む第１フレームセットと、３Ｆ、４Ｆを含む第２フレームセットとでは、各画素ＰＸが表示する映像の順序を反対に変えているが、その効果は上述した通りである。図４６に示したこ構成とは異なって、二つの画素ＰＸ１、ＰＸ２、ＰＸ３ごとに適用されるガンマ曲線が変化してもよい。
【０２９８】
図４４、図４６乃至図５０を参照すれば、本発明の一実施形態による表示装置は、上述した図４３に示した実施形態のような極性反転駆動方式に従ってもよい。これによれば、同一のフレームで行方向及び列方向に隣接する画素ＰＸ１、ＰＸ２、ＰＸ３に印加されるデータ電圧Ｖｄの極性（以降、画素ＰＸ１、ＰＸ２、ＰＸ３の極性という）が互いに反対であってもよい。
【０２９９】
また、全体画素ＰＸ１、ＰＸ２、ＰＸ３に印加されるデータ電圧Ｖｄの極性は、毎フレームごとに反転してもよい。従って、図４４に示した実施形態によれば、第１フレームセット１Ｆ、２Ｆで第１映像Ｈを表示する画素ＰＸ１、ＰＸ２、ＰＸ３の極性が正（＋）であれば、第２フレームセット３Ｆ、４Ｆで第１映像Ｈを表示する画素ＰＸ１、ＰＸ２、ＰＸ３の極性は負（−）であってもよい。同様に、第１フレームセット１Ｆ、２Ｆで第２映像Ｌを表示する画素ＰＸ１、ＰＸ２、ＰＸ３の極性が負（−）であれば、第２フレームセット３Ｆ、４Ｆで第２映像Ｌを表示する画素ＰＸ１、ＰＸ２、ＰＸ３の極性は正（＋）であってもよい。
【０３００】
図４７に示した実施形態は、図４４に示した実施形態と大部分同一であるが、各画素ＰＸ１、ＰＸ２、ＰＸ３が上述した図４５に示した実施形態と同様の映像表示順序に従ってもよい。つまり、各画素ＰＸ１、ＰＸ２、ＰＸ３が第１映像Ｈ及び第２映像Ｌをフレームごとに交互に表示してもよい。図４４とは異なり、１Ｆ、２Ｆを含む第１フレームセットと、３Ｆ、４Ｆを含む第２フレームセットとでは、各画素ＰＸが表示する映像の順序は同一であってもよい。
【０３０１】
図４８に示した実施形態は、図４６に示した実施形態と大部分同一であるが、各画素ＰＸ１、ＰＸ２、ＰＸ３が上述した図４５に示した実施形態と同様の映像表示順序に従ってもよい。つまり、各画素ＰＸ１、ＰＸ２、ＰＸ３が第１映像Ｈ及び第２映像Ｌをフレームごとに交互に表示してもよい。つまり、図４６とは異なり、１Ｆ、２Ｆを含む第１フレームセットと、３Ｆ、４Ｆを含む第２フレームセットとでは、各画素ＰＸが表示する映像の順序は同一であってもよい。
【０３０２】
図４９を参照すれば、本実施形態は、図４４に示した実施形態と大部分同一であるが、全体画素ＰＸ１、ＰＸ２、ＰＸ３に印加されるデータ電圧Ｖｄの極性が二つのフレームごとに反転してもよい。従って、図４９に示した実施形態によれば、第１映像Ｈを表示する画素ＰＸ１、ＰＸ２、ＰＸ３の極性が毎フレームごとに変化し、第２映像Ｌを表示する画素ＰＸ１、ＰＸ２、ＰＸ３の極性も毎フレームごとに変化する。従って、図４４に示した実施形態では、フレームごとに極性が変化するのに対して、図４９では各ガンマ曲線による第１映像Ｈまたは第２映像Ｌの極性がフレームセットごとに変化するので、各ガンマ曲線による映像の極性変化によって生じうる輝度変化によるフリッカーを最小化し、残像をなくすことができる。このとき、１Ｆ、２Ｆを含む第１フレームセットと、３Ｆ、４Ｆを含む第２フレームセットとでは、各画素ＰＸが表示する映像の順序を反対に変えているが、その効果は上述した通りである。
【０３０３】
図５０を参照すれば、本実施形態は、図４９に示した実施形態と大部分同一であるが、各画素ＰＸ１、ＰＸ２、ＰＸ３が上述した図４５に示した実施形態と同様の順に映像を表示してもよい。図５０に示したこと構成は異なって、全体画素ＰＸ１、ＰＸ２、ＰＸ３に印加されるデータ電圧Ｖｄの極性が毎フレームごとに反転するか、または四つのフレームごとに反転してもよい。全体画素ＰＸ１、ＰＸ２、ＰＸ３に印加されるデータ電圧Ｖｄの極性が四つのフレームごとに反転する場合、各ガンマ曲線による第１映像Ｈまたは第２映像Ｌの極性がフレームごとに変化されるので、各ガンマ曲線による映像の極性変化によって生じうる輝度変化のためのフリッカーを最小化することができる。なお、図４９とは異なり、１Ｆ、２Ｆを含む第１フレームセットと、３Ｆ、４Ｆを含む第２フレームセットとでは、各画素ＰＸが表示する映像の順序は同一であってもよい。
【０３０４】
図５１及び図５２を参照すれば、本実施形態は、図４４に示した実施形態と大部分同一であるが、隣接する画素ＰＸ１、ＰＸ２、ＰＸ３の極性配列が互いに異なる。本発明の一実施形態による表示装置は、上述した図４２に示した実施形態と同様の極性反転駆動方式に従ってもよい。これによれば、同一のフレームで行方向に隣接する画素ＰＸ１、ＰＸ２、ＰＸ３の極性は互いに反対であるか、または列方向に隣接する画素ＰＸ１、ＰＸ２、ＰＸ３の極性は互いに同一であってもよい。従って、図５１及び図５２に示した実施形態によれば、各フレーム１Ｆ、２Ｆ、３Ｆ、４Ｆにおいて、第１映像Ｈを表示する画素ＰＸ１、ＰＸ２、ＰＸ３中、極性が正（＋）の画素と極性が負（−）の画素の数が実質的に同一であり、第２映像Ｌを表示する画素ＰＸ１、ＰＸ２、ＰＸ３中、極性が正（＋）の画素と極性が負（−）の画素の数も実質的に同一であってもよい。また、第１映像Ｈを表示する画素中、極性が正（＋）の画素と極性が負（−）の画素が列方向に隣接し、第２映像Ｌを表示する画素中、極性が正（＋）の画素と極性が負（−）の画素が列方向に隣接するので、極性相殺効果がある。
【０３０５】
結局、図５１及び図５２に示した実施形態によれば、第１映像Ｈが正（＋）である画素の輝度、第１映像Ｈが負（−）である画素の輝度、第２映像Ｌが正（＋）である画素の輝度、及び第２映像Ｌが正（＋）である画素の輝度が互いに異なっても、各フレーム１Ｆ、２Ｆ、３Ｆ、４Ｆにおいて、第１映像Ｈを表示する画素ＰＸ１、ＰＸ２、ＰＸ３の輝度差が互いに相殺でき、同様に第２映像Ｌを表示する画素ＰＸ１、ＰＸ２、ＰＸ３の輝度差も互いに相殺できる。従って、全体画素ＰＸに対してフレームによる輝度変化が実質的になく、互いに異なるガンマ曲線による輝度差によって発生するフリッカーをなくすことができる。
【０３０６】
図５２を参照すれば、あるパターンが時間によって画面で移動する時、そのパターンはフレームセットごとに互いに異なる位置のドットＤｏｔ１〜Ｄｏｔ４によって表示されてもよい。図５２は、移動するパターンが一つのフレームセットの経過時、概ね一つのドットに対応して動く例を示す。
【０３０７】
具体的に、移動する一つのパターンは、第１フレームセット１Ｆ、２Ｆで第１ドットＤｏｔ１及び第３ドットＤｏｔ３によって表示され、第２フレームセット３Ｆ、４Ｆでは一つのドットを移動して第２ドットＤｏｔ２及び第４ドットＤｏｔ４によって表示されてもよい。例えば、移動するパターンは、第１フレーム１Ｆで第１パターン映像Ａ１として表示され、第２フレーム２Ｆで第２パターン映像Ａ１’として表示され、第３フレーム３Ｆで第３パターン映像Ａ２として表示され、第４フレーム４Ｆで第４パターン映像Ａ２’として表示されてもよい。ここで、第１パターン映像Ａ１及び第２パターン映像Ａ１’は、同一の第１入力映像信号ＩＤＡＴ１に対応し、互いに異なるガンマ曲線に従い、第３パターン映像Ａ２及び第４パターン映像Ａ２’は、同一の第２入力映像信号ＩＤＡＴ２に対応し、互いに異なるガンマ曲線に従ってもよい。
【０３０８】
これによれば、第１フレーム１Ｆで第１パターン映像Ａ１を表示する画素ＰＸ１、ＰＸ２、ＰＸ３の第１映像Ｈの極性は、第３フレーム３Ｆで第３パターン映像Ａ２を表示する画素ＰＸ１、ＰＸ２、ＰＸ３の第１映像Ｈの極性と互いに相殺され、第２映像Ｌに対しても同一である。また、第２フレーム２Ｆで第２パターン映像Ａ１’を表示する画素ＰＸ１、ＰＸ２、ＰＸ３の第１映像Ｈの極性は、第４フレーム４Ｆで第４パターン映像Ａ２’を表示する画素ＰＸ１、ＰＸ２、ＰＸ３の第１映像Ｈの極性と互いに相殺され、第２映像Ｌに対しても同一である。従って、フレームセットごとに一つのドットずつ移動するパターンを表示する画素ＰＸ１、ＰＸ２、ＰＸ３の極性が互いに相殺されて、移動するパターンの縦縞が視認されない。図５２に示した構成とは異なって、移動するパターンがフレームセットごとに二つのドットＤｏｔ１〜Ｄｏｔ４ずつ移動する場合にも、上述のような極性相殺効果によって、縦縞の視認のような表示不良を除去することができる。
【０３０９】
図５３を参照すれば、本実施形態は、図５０に示した実施形態と大部分同一であるが、隣接する画素ＰＸ１、ＰＸ２、ＰＸ３の極性配列が異なる。本発明の一実施形態による表示装置は、上述した図４２に示した実施形態と同様の極性反転駆動方式に従ってもよい。これによれば、同一のフレームで行方向に隣接する画素ＰＸ１、ＰＸ２、ＰＸ３の極性は互いに反対であるが、列方向に隣接する画素ＰＸ１、ＰＸ２、ＰＸ３の極性は互いに同一であってもよい。従って、図５３に示した実施形態によれば、各フレーム１Ｆ、２Ｆ、３Ｆ、４Ｆにおいて、第１映像Ｈを表示する画素ＰＸ１、ＰＸ２、ＰＸ３中、極性が正（＋）の画素と極性が負（−）の画素の数が実質的に同一であり、第２映像Ｌを表示する画素ＰＸ１、ＰＸ２、ＰＸ３中、極性が正（＋）の画素と極性が負（−）の画素の数も実質的に同一であってもよい。また、第１映像Ｈを表示する画素中、極性が正（＋）の画素と極性が負（−）の画素が列方向に隣接し、第２映像Ｌを表示する画素中、極性が正（＋）の画素と極性が負（−）の画素が列方向に隣接するので、極性相殺効果がある。
【０３１０】
結局、図５３に示した実施形態によれば、第１映像Ｈが正（＋）である画素の輝度、第１映像Ｈが負（−）である画素の輝度、第２映像Ｌが正（＋）である画素の輝度、及び第２映像Ｌが負（−）である画素の輝度が互いに異なっても、各フレーム１Ｆ、２Ｆ、３Ｆ、４Ｆにおいて、第１映像Ｈを表示する画素ＰＸ１、ＰＸ２、ＰＸ３の輝度が互いに相殺でき、同様に第２映像Ｌを表示する画素ＰＸ１、ＰＸ２、ＰＸ３の輝度も互いに相殺できる。従って、全体画素ＰＸに対してフレームによる輝度変化が実質的になく、互いに異なるガンマ曲線による輝度差によって発生するフリッカーをなくすことができる。
【０３１１】
図５４を参照すれば、本実施形態は、図５３に示した実施形態と大部分同一であるが、フレームによる全体画素ＰＸ１、ＰＸ２、ＰＸ３の極性反転形態が異なってもよい。
【０３１２】
図５４に示した実施形態によれば、各画素ＰＸ１、ＰＸ２、ＰＸ３の極性は各フレームセット内ではフレームごとに反転するが、隣接する二つのフレームセットの間では極性反転の順序が反対であってもよい。例えば、第１ドットＤｏｔ１の第１画素ＰＸ１の極性について説明すれば、第１フレームセットの第１フレーム１Ｆで正（＋）、第２フレーム２Ｆで負（−）、第２フレームセットの第３フレーム３Ｆで負（−）、第４フレーム４Ｆで正（＋）であってもよい。第１ドットＤｏｔ１の第２画素ＰＸ２の極性について説明すれば、第１フレームセットの第１フレーム１Ｆで負（−）、第２フレーム２Ｆで正（＋）、第２フレームセットの第３フレーム３Ｆで正（＋）、第４フレーム４Ｆで負（−）であってもよい。
【０３１３】
図５４に示した実施形態において、上述した図５２に示した実施形態のように、一つのフレームセットの経過時ごとに一つのドットほど動くパターンについて説明すれば、第１フレーム１Ｆの第１パターン映像Ａ１を表示する画素ＰＸ１、ＰＸ２、ＰＸ３の第１映像Ｈの極性は、第４フレーム４Ｆの第４パターン映像Ａ２’を表示する画素ＰＸ１、ＰＸ２、ＰＸ３の第１映像Ｈの極性と互いに相殺され、第２映像Ｌに対しても同一である。また、第２フレーム２Ｆの第２パターン映像Ａ１’を表示する画素ＰＸ１、ＰＸ２、ＰＸ３の第１映像Ｈの極性は、第３フレーム３Ｆの第３パターン映像Ａ２を表示する画素ＰＸ１、ＰＸ２、ＰＸ３の第１映像Ｈの極性と互いに相殺され、第２映像Ｌに対しても同一である。従って、フレームセットごとに一つのドットずつ移動するパターンを表示する画素ＰＸ１、ＰＸ２、ＰＸ３の極性が互いに相殺されて、移動するパターンの縦縞が視認されない。図５４に示した構成とは異なって、移動するパターンがフレームセットごとに二つのドットＤｏｔ１〜Ｄｏｔ４ずつ移動する場合にも、上述のような極性相殺効果によって、縦縞が視認されない。
【０３１４】
図５５乃至図６０を参照すれば、本実施形態による表示装置の駆動方法は、上述した種々の実施形態による表示装置の駆動方法と同一であるが、一画素ＰＸが、上述した図７に示したように二つ以上の副画素を含んでもよい。図５５乃至図６０は、各画素ＰＸ１、ＰＸ２、ＰＸ３が第１副画素ＰＸａ及び第２副画素ＰＸｂを含む例を示す。
【０３１５】
一画素ＰＸが含む副画素ＰＸａ、ＰＸｂは、互いに異なるガンマ曲線による映像を表示してもよく、同一の輝度の映像を表示してもよい。
【０３１６】
図５５を参照すれば、本実施形態による表示装置は、上述した図４４に示した実施形態と同様な方法で駆動されてもよい。具体的に、各画素ＰＸ１、ＰＸ２、ＰＸ３の駆動方式は、図４４、図４６乃至図５４に示した実施形態と同一であってもよく、各画素ＰＸ１、ＰＸ２、ＰＸ３が含む第１副画素ＰＸａ及び第２副画素ＰＸｂは、同一の極性のデータ電圧Ｖｄの印加を受けてもよい。図５５は、第１副画素ＰＸａ及び第２副画素ＰＸｂが同一のガンマ曲線に異なる映像を表示する例を示す。
【０３１７】
図５５に示した構成とは異なって、本発明の他の実施形態によれば、一画素ＰＸ１、ＰＸ２、ＰＸ３の第１副画素ＰＸａ及び第２副画素ＰＸｂは、互いに異なるガンマ曲線による映像を表示してもよい。
【０３１８】
例えば、図５６を参照すれば、図５５で第１映像Ｈを表示した画素ＰＸの第１副画素ＰＸａが第１映像Ｈを表示する時、第２副画素ＰＸｂは図１７に示した第３ガンマ曲線ＧＭによる第３映像Ｍを表示するか、または第２映像Ｌを表示してもよい。または、図５７に示したように、図５５で第１映像Ｈを表示した画素ＰＸの第１副画素ＰＸａが第３映像Ｍを表示し、第２副画素ＰＸｂが第１映像Ｈを表示してもよい。
【０３１９】
図５８を参照すれば、第１副画素ＰＸａ及び第２副画素ＰＸｂが全て第１映像Ｈを表示する画素ＰＸと、第１副画素ＰＸａは第２映像Ｌを表示し、第２副画素ＰＸｂは第３映像Ｍを表示する画素ＰＸが、行方向または列方向に交互に配列されてもよい。
【０３２０】
図５９は、図５８の第２映像Ｌ及び第３映像Ｍを表示する第１副画素ＰＸａ及び第２副画素ＰＸｂを含む画素ＰＸにおいて、第１副画素ＰＸａ及び第２副画素ＰＸｂが表示する映像のガンマ曲線が互いに変わる例を示す。
【０３２１】
図６０を参照すれば、第１副画素ＰＸａが第１映像Ｈを表示し、第２副画素ＰＸｂは第３映像Ｍを表示する画素ＰＸと、第１副画素ＰＸａは第２映像Ｌを表示し、第２副画素ＰＸｂは第３映像Ｍを表示する画素ＰＸが、行方向または列方向に交互に配列されてもよい。本発明の他の実施形態によれば、表示装置は４つ以上のガンマ曲線による映像を表示してもよく、この場合、図６０で行方向または列方向に隣接する二つの画素ＰＸの副画素ＰＸａ、ＰＸｂが表示する第３映像Ｍは、互いに異なるガンマ曲線に従ってもよい。
【０３２２】
図５５乃至図６０に示した実施形態において、画素ＰＸが含む第１副画素ＰＸａ及び第２副画素ＰＸｂの映像が従うガンマ曲線は互いに変わってもよい。例えば、図６０において、一画素ＰＸの第１副画素ＰＸａが第１映像Ｈを表示し、第２副画素ＰＸｂが第３映像Ｍを表示する時、この画素ＰＸと行方向または列方向に隣接する他の画素ＰＸの第１副画素ＰＸａは第３映像Ｍを表示し、第２副画素ＰＸｂは第２映像Ｌを表示してもよい。この場合にも、二つの画素ＰＸの副画素ＰＸａ、ＰＸｂが表示する第３映像Ｍは、互いに異なるガンマ曲線に従ってもよい。
【０３２３】
これ以外に、第１副画素ＰＸａ及び第２副画素ＰＸｂは、側面視認性向上のために３つまたは４つ以上のガンマ曲線による映像の多様な組み合わせからなる映像を表示してもよい。また、図５５乃至図６０に示した実施形態においては、一つの画素ＰＸ１、ＰＸ２、ＰＸ３の二つの副画素ＰＸａ、ＰＸｂが同一の極性の映像を表示することを示したが、これに限定されることではなく、上述した種々の実施形態のように一画素ＰＸ１、ＰＸ２、ＰＸ３の二つの副画素ＰＸａ、ＰＸｂが互いに異なる極性の映像を表示してもよい。
【０３２４】
図４４乃至図６０に示したように、種々の実施形態において、互いに隣接する画素ＰＸ１、ＰＸ２、ＰＸ３中、互いに異なるドットＤｏｔ１〜Ｄｏｔ４に属して、同一の色を示す二つの画素ＰＸ１、ＰＸ２、ＰＸ３が表示する映像は、互いに異なるガンマ曲線に従ってもよい。
【０３２５】
以上、本発明の好ましい実施形態について詳細に説明したが、本発明の権利範囲はこれに限定されることではなく、請求範囲で定義している本発明の基本概念を利用した当業者の種々の変形及び改良形態も本発明の権利範囲に属するものである。
【符号の説明】
【０３２６】
３  液晶層
３１  液晶分子
１００、２００、３００  表示板
１１０、２１０  基板
１２１、１２１ａ、１２１ｂ  ゲート線
１２３  減圧ゲート線
１４０  ゲート絶縁膜
１５４ａ、１５４ｂ、１５４ｃ  半導体
１７１、１７１ａ、１７１ｂ  データ線
１８０、１８０ｐ、１８０ｑ  保護膜
１９１、１９１ａ、１９１ｂ  画素電極
２２０  遮光部材
２３０  カラーフィルタ
２５０  蓋膜
２７０  対向電極
４００  ゲート駆動部
３００  表示板
５００  データ駆動部
６００  信号制御部
６５０  メモリ
６６０  フレームメモリ
８００  階調電圧生成部
９００  バックライト部
９５０  バックライト制御部
【図１Ａ】
2013250545.tif 000003
【図１Ｂ】
2013250545.tif 000004
【図２】
2013250545.tif 000005
【図３】
2013250545.tif 000006
【図４】
2013250545.tif 000007
【図５Ａ】
2013250545.tif 000008
【図５Ｂ】
2013250545.tif 000009
【図５Ｃ】
2013250545.tif 000010
【図６】
2013250545.tif 000011
【図７】
2013250545.tif 000012
【図８】
2013250545.tif 000013
【図９】
2013250545.tif 000014
【図１０】
2013250545.tif 000015
【図１１】
2013250545.tif 000016
【図１２Ａ】
2013250545.tif 000017
【図１２Ｂ】
2013250545.tif 000018
【図１３】
2013250545.tif 000019
【図１４】
2013250545.tif 000020
【図１５】
2013250545.tif 000021
【図１６】
2013250545.tif 000022
【図１７】
2013250545.tif 000023
【図１８Ａ】
2013250545.tif 000024
【図１８Ｂ】
2013250545.tif 000025
【図１９Ａ】
2013250545.tif 000026
【図１９Ｂ】
2013250545.tif 000027
【図２０Ａ】
2013250545.tif 000028
【図２０Ｂ】
2013250545.tif 000029
【図２１Ａ】
2013250545.tif 000030
【図２１Ｂ】
2013250545.tif 000031
【図２１Ｃ】
2013250545.tif 000032
【図２１Ｄ】
2013250545.tif 000033
【図２２Ａ】
2013250545.tif 000034
【図２２Ｂ】
2013250545.tif 000035
【図２３】
2013250545.tif 000036
【図２４Ａ】
2013250545.tif 000037
【図２４Ｂ】
2013250545.tif 000038
【図２４Ｃ】
2013250545.tif 000039
【図２４Ｄ】
2013250545.tif 000040
【図２５Ａ】
2013250545.tif 000041
【図２５Ｂ】
2013250545.tif 000042
【図２６Ａ】
2013250545.tif 000043
【図２６Ｂ】
2013250545.tif 000044
【図２７Ａ】
2013250545.tif 000045
【図２７Ｂ】
2013250545.tif 000046
【図２８Ａ】
2013250545.tif 000047
【図２８Ｂ】
2013250545.tif 000048
【図２９Ａ】
2013250545.tif 000049
【図２９Ｂ】
2013250545.tif 000050
【図３０Ａ】
2013250545.tif 000051
【図３０Ｂ】
2013250545.tif 000052
【図３１Ａ】
2013250545.tif 000053
【図３１Ｂ】
2013250545.tif 000054
【図３２Ａ】
2013250545.tif 000055
【図３２Ｂ】
2013250545.tif 000056
【図３３Ａ】
2013250545.tif 000057
【図３３Ｂ】
2013250545.tif 000058
【図３４】
2013250545.tif 000059
【図３５】
2013250545.tif 000060
【図３６】
2013250545.tif 000061
【図３７】
2013250545.tif 000062
【図３８】
2013250545.tif 000063
【図３９】
2013250545.tif 000064
【図４０】
2013250545.tif 000065
【図４１】
2013250545.tif 000066
【図４２】
2013250545.tif 000067
【図４３】
2013250545.tif 000068
【図４４】
2013250545.tif 000069
【図４５】
2013250545.tif 000070
【図４６】
2013250545.tif 000071
【図４７】
2013250545.tif 000072
【図４８】
2013250545.tif 000073
【図４９】
2013250545.tif 000074
【図５０】
2013250545.tif 000075
【図５１】
2013250545.tif 000076
【図５２】
2013250545.tif 000077
【図５３】
2013250545.tif 000078
【図５４】
2013250545.tif 000079
【図５５】
2013250545.tif 000080
【図５６】
2013250545.tif 000081
【図５７】
2013250545.tif 000082
【図５８】
2013250545.tif 000083
【図５９】
2013250545.tif 000084
【図６０】
2013250545.tif 000085